(57)【要約】二チャネル入力信号（X）を処理するためのオーディオ・デコード・システム（１００）がパラメトリック混合段（１１０）を有する。パラメトリック混合段は、二チャネル入力信号および混合パラメータの第一の集合（P1）を受領し、二チャネル出力信号（Y1）を出力する。パラメトリック混合段は、前記入力信号に基づいて脱相関された信号（D1）を出力する脱相関段（１１１）を有する。パラメトリック混合段はさらに、前記入力信号および前記脱相関された信号を受領し、前記入力信号および前記脱相関された信号からのチャネルの二チャネル線形結合を形成する混合行列（１１２）を有する。混合行列は、該線形結合を前記二チャネル出力信号として出力する。線形結合の係数は混合パラメータの前記集合によって制御可能であり、前記集合の少なくとも四つの混合パラメータが独立に割り当て可能である。例示的実施形態では、入力信号においてエンコードされている追加的なチャネルを独立に再構成するために複数のパラメトリック混合段が使用される。
2016536646.tif 000002
【特許請求の範囲】
【請求項１】
二チャネル入力信号（X）を処理するためのオーディオ・デコード・システム（１００、３００、４００、５００、６００）であって、当該オーディオ・デコード・システムは、前記二チャネル入力信号を受領し、混合パラメータの第一の集合を受領するよう適応された第一のパラメトリック混合段（１１０）を有し、前記第一のパラメトリック混合段は、第一の二チャネル出力信号（Y1）を出力するよう適応されており、前記第一のパラメトリック混合段は、
前記入力信号に基づいて第一の脱相関された信号（D1）を出力するよう適応された第一の脱相関段（１１１）と；
前記入力信号および前記第一の脱相関された信号を受領し、前記入力信号および前記第一の脱相関された信号からのチャネルの第一の二チャネル線形結合を形成し、該線形結合を前記第一の二チャネル出力信号として出力するよう適応された第一の混合行列とを有しており、
前記第一の線形結合の係数は混合パラメータの前記第一の集合によって制御可能であり、前記第一の集合の少なくとも四つの混合パラメータが独立に割り当て可能である、
オーディオ・デコード・システム。
【請求項２】
前記第一の脱相関段は、一チャネル信号として前記第一の脱相関された信号を出力するよう適応されている、請求項１記載のオーディオ・デコード・システム。
【請求項３】
前記第一の脱相関段は、前置混合行列および脱相関器を有しており、
前記前置混合行列（１１３）は、前記入力信号からのチャネルの中間的な線形結合（Z1）を形成するよう適応されており、前記中間的な線形結合の係数は混合パラメータの前記第一の集合のみによって制御可能であり、
前記脱相関器（１１４）は、前記中間的な線形結合を受領して、それに基づいて前記第一の脱相関された信号を出力するよう適応されている、
請求項１または２記載のオーディオ・デコード・システム。
【請求項４】
混合パラメータの前記第一の集合は、ちょうど四つの独立に割り当て可能な混合パラメータを有する、請求項１ないし３のうちいずれか一項記載のオーディオ・デコード・システム。
【請求項５】
前記脱相関器は、前記中間的な線形結合のチャネルを受領し、前記第一の脱相関された信号のチャネルを出力するよう適応された少なくとも一つの無限インパルス応答ラティス・フィルタを有する、請求項３または４記載のオーディオ・デコード・システム。
【請求項６】
前記脱相関器は、前記中間的な線形結合における音の終わりを検出し、それに応答して是正アクションを行なうよう構成されたアーチファクト減衰器を有する、請求項３ないし５のうちいずれか一項記載のオーディオ・デコード・システム。
【請求項７】
前記二チャネル入力信号を受領し、混合パラメータの前記第一の集合とは独立な混合パラメータの第二の集合を受領するよう適応された第二のパラメトリック混合段（３２０）をさらに有しており、前記第二のパラメトリック混合段は、第二の二チャネル出力信号（Y2）を出力するよう適応されており、前記第二のパラメトリック混合段は：
前記入力信号に基づいて第二の脱相関された信号（D2）を出力するよう適応された第二の脱相関段（３２１）と；
前記入力信号および前記第二の脱相関された信号を受領し、前記入力信号および前記第二の脱相関された信号からのチャネルの第二の二チャネル線形結合を形成し、該第二の線形結合を前記第二の二チャネル出力信号として出力するよう適応されており、
前記第二の線形結合の係数は混合パラメータの前記第二の集合によって制御可能であり、前記第二の集合の少なくとも四つの混合パラメータが独立に割り当て可能である、
請求項１ないし６のうちいずれか一項記載のオーディオ・デコード・システム。
【請求項８】
前記第一の混合行列は、第一のクロスオーバー周波数までの周波数に対応するスペクトル・データを含む第一のサイド信号（xs1）を受領するよう適応されており、前記第一の混合行列は、前記第一のサイド信号と、前記入力信号および前記第一の脱相関された信号からのチャネルとから前記第一の二チャネル線形結合を形成するよう動作可能であり、前記第二の混合行列は、第二のクロスオーバー周波数までの周波数に対応するスペクトル・データを含む第二のサイド信号（xs2）を受領するよう適応されており、前記第二の混合行列は、前記第二のサイド信号と、前記入力信号および前記第二の脱相関された信号からのチャネルとから前記第二の二チャネル線形結合を形成するよう動作可能である、請求項７記載のオーディオ・デコード・システム。
【請求項９】
前記二チャネル入力信号を受領し、混合パラメータの前記第一および第二の集合と独立な混合パラメータの第三の集合を受領するよう適応された第三のパラメトリック混合段（５３０）をさらに有しており、前記第三のパラメトリック混合段は、第三の出力信号（Y3）を出力するよう適応されており、前記第三のパラメトリック混合段は、独立なオーディオ・コンテンツをもつ高々一つのチャネルを前記第三の出力信号において提供するよう適応されており、前記第三のパラメトリック混合段は：
前記入力信号を受領し、前記入力信号からのチャネルの第三の線形結合を形成し、該第三の線形結合を前記第三の出力信号として出力するよう適応された第三の混合行列（５３２）を有しており、
前記第三の線形結合の係数は混合パラメータの前記第三の集合によって制御可能であり、前記第三の集合の少なくとも二つの混合パラメータが独立に割り当て可能である、
請求項７記載のオーディオ・デコード・システム。
【請求項１０】
前記二チャネル入力信号を受領し、混合パラメータの前記第一および第二の集合と独立な混合パラメータの第三の集合を受領するよう適応された第三のパラメトリック混合段（５３０）をさらに有しており、前記第三のパラメトリック混合段は、第三の出力信号（Y3）を出力するよう適応されており、前記第三のパラメトリック混合段は：
前記入力信号に基づいて第三の脱相関された信号（D3）を出力するよう適応された第三の脱相関段（５３１）と；
前記入力信号および前記第三の脱相関された信号を受領し、前記入力信号および前記第三の脱相関された信号からのチャネルの第三の二チャネル線形結合を形成し、該第三の線形結合を前記第三の二チャネル出力信号として出力するよう適応された第三の混合行列（５３２）を有しており、
前記第三の線形結合の係数は混合パラメータの前記第三の集合によって制御可能であり、前記第三の集合の少なくとも四つの混合パラメータが独立に割り当て可能である、
請求項７記載のオーディオ・デコード・システム。
【請求項１１】
当該オーディオ・デコード・システムは、混合パラメータのコレクションを受領するよう適応されたコントローラ（５４０）を有しており、前記コントローラは、パラメータの前記コレクションの部分集合である混合パラメータの前記第一、第二および第三の集合を、それぞれ前記第一、第二および第三のパラメトリック混合段に提供するよう適応されており、前記コントローラは、前記第三の出力信号における独立なオーディオ・コンテンツをもつ高々一つのチャネルを提供するために、混合パラメータの前記第三の集合を介して、前記第三の混合段を制御するよう適応されている、
請求項１０記載のオーディオ・デコード・システム。
【請求項１２】
前記二チャネル入力信号と、混合パラメータの前記第一の集合からの少なくとも三つの混合パラメータ、混合パラメータの前記第二の集合からの少なくとも三つの混合パラメータおよび混合パラメータの前記第一、第二および第三の集合とは独立な少なくとも一つの追加的な混合パラメータを含む混合パラメータの拡張集合とを受領するよう適応された追加的なパラメトリック混合段（６５０）であって、該追加的なパラメトリック混合段は、少なくとも五つのチャネルを有する追加的な出力信号（Y4）を出力するよう適応されている、追加的なパラメトリック混合段と；
前記追加的な出力信号の諸チャネルを前記第一の出力信号、前記第二の出力信号および前記第三の出力信号の諸チャネルにそれぞれ加えるよう適応された加算段をさらに有しており、
前記追加的なパラメトリック段は：
前記入力信号に基づいて追加的な脱相関された信号（D4）を出力するよう適応された追加的な脱相関段（６５１）と；
前記追加的な脱相関された信号および混合パラメータの前記拡張集合に基づいて前記追加的な出力信号を生成するよう適応されたアップミックス行列（６５２）を有する、
請求項９ないし１１のうちいずれか一項記載のオーディオ・デコード・システム。
【請求項１３】
前記第一のパラメトリック混合段は：
複数の周波数サブバンドに関連付けられた混合パラメータの前記第一の集合の値を受領し；
対応する周波数サブバンドに関連付けられた混合パラメータの前記第一の集合の値を使って、前記入力信号および前記第一の脱相関された信号の周波数サブバンド表現に対して作用するよう適応されいる、
請求項１ないし１２のうちいずれか一項記載のオーディオ・デコード・システム。
【請求項１４】
前記第一のパラメトリック混合段は、非一様な周波数サブバンド分割を用いるよう適応されている、請求項１３記載のオーディオ・デコード・システム。
【請求項１５】
混合パラメータの前記第一の集合の少なくとも一つの独立に割り当て可能なパラメータは、前記第一の脱相関された信号の、前記第一の線形結合への寄与を制御する、請求項１ないし１４のうちいずれか一項記載のオーディオ・デコード・システム。
【請求項１６】
混合パラメータの前記第一の集合の二つの独立に割り当て可能なパラメータは、第一の量子化されたフォーマットにおいて前記第一のパラメトリック混合段によって受領され、前記二つの入力信号チャネルの、中間的な線形結合への相対的な寄与を制御し、
混合パラメータの前記第一の集合の二つの異なる独立に割り当て可能なパラメータは、前記第一の量子化されたフォーマットとは相異なる第二の量子化されたフォーマットにおいて前記第一のパラメトリック混合段によって受領され、前記中間的な線形結合および前記第一の脱相関された信号の、前記第一の出力信号への相対的な寄与を制御し、
前記第一の脱相関された信号は、前記中間的な線形結合の脱相関されたバージョンである、
請求項１ないし１５のうちいずれか一項記載のオーディオ・デコード・システム。
【請求項１７】
前記第一のパラメトリック混合段は、第一の時間分解能をもつ前記入力信号を受領するよう適応されており、ここで、前記入力信号は一定数のサンプルを有する時間フレームに分割され、前記第一のパラメトリック混合段は、ある時間フレーム（２１２、２１４）の間には、混合パラメータの前記第一の集合の各パラメータの一つの値（２１４、２２４）を受領するよう動作可能であり、ある時間フレーム（２３２、２４２）の間には、混合パラメータの前記第一の集合の各パラメータの二つの値（２３４、２３５、２４４、２４５）を受領するよう動作可能である、請求項１ないし１６のうちいずれか一項記載のオーディオ・デコード・システム。
【請求項１８】
前記第一のパラメトリック混合段は、前記第一の時間分解能をもつ混合パラメータの前記第一の集合を受領し、前記第一の時間分解能をもつ混合パラメータの前記第一の集合から、第二の時間分解能をもつ一つまたは複数の混合パラメータの集合を生成するよう時間的な補間を用いるよう動作可能である、請求項１７記載のオーディオ・デコード・システム。
【請求項１９】
前記第一および第二のパラメトリック混合段は機能的に同一である、請求項７ないし１８のうちいずれか一項記載のオーディオ・デコード・システム。
【請求項２０】
二チャネル入力信号を処理するためのオーディオ・デコード方法であって、当該オーディオ・デコード方法は：
前記二チャネル入力信号を受領する段階と；
混合パラメータの第一の集合を受領する段階であって、該集合において少なくとも四つの混合パラメータが独立に割り当て可能である、段階と；
前記入力信号に基づいて第一の脱相関された信号を生成する段階と；
前記入力信号および前記第一の脱相関された信号からのチャネルの第一の二チャネル線形結合を形成する段階と；
前記線形結合を二チャネル出力信号として出力する段階とを含み、
前記第一の線形結合の係数は混合パラメータの前記第一の集合によって制御可能である、
方法。
【請求項２１】
マルチチャネル入力信号（S）を処理するためのオーディオ・エンコード・システム（７００）であって：
前記マルチチャネル入力信号を受領し、それに基づいて二チャネル出力信号（Y）を出力するよう適応された混合段（７１０）と；
前記マルチチャネル入力信号および前記二チャネル出力信号を受領するよう適応されたパラメータ解析器（７２０）とを有しており、前記パラメータ解析器は：
前記二チャネル出力信号と、前記マルチチャネル入力信号のうちの二つのチャネルとに基づいて、前記二チャネル出力信号から前記マルチチャネル入力信号の前記二つのチャネルを再構成するための第一のパラメトリック混合段を制御するための混合パラメータの第一の集合を出力するよう適応された第一のパラメータ解析段（７２１）と；
前記二チャネル出力信号と、前記マルチチャネル入力信号の少なくとも一つのチャネルとに基づいて、前記二チャネル出力信号から前記マルチチャネル入力信号の前記少なくとも一つのチャネルを再構成するための第二のパラメトリック混合段を制御するための混合パラメータの第二の集合を出力するよう適応された第二のパラメータ解析段（７２２、７２３）とを有しており、
前記第二のパラメトリック解析段は、前記第一のパラメトリック解析段とは独立して動作するよう構成されている、
オーディオ・エンコード・システム。
【請求項２２】
前記パラメータ解析器はさらに、前記マルチチャネル入力信号に基づいて、前記第一および第二のパラメトリック混合段の出力チャネルに対する追加的な脱相関された信号の寄与を制御するための、追加的な混合パラメータを出力するよう適応されている、請求項２１記載のオーディオ・エンコード・システム。
【請求項２３】
マルチチャネル入力信号を処理するためのオーディオ・エンコード方法であって：
前記マルチチャネル入力信号を受領する段階と；
前記マルチチャネル入力信号に基づいて二チャネル出力信号を出力する段階と；
前記二チャネル出力信号を受領する段階と；
前記二チャネル出力信号と、前記マルチチャネル入力信号のうちの二つのチャネルとに基づいて、前記二チャネル出力信号から前記マルチチャネル入力信号の前記二つのチャネルを再構成するための第一のパラメトリック混合段を制御するための混合パラメータの第一の集合を決定する段階と；
前記二チャネル出力信号と、前記マルチチャネル入力信号の少なくとも一つのチャネルとに基づいて、かつ混合パラメータの第一の集合を決定する前記段階とは独立に、前記二チャネル出力信号から前記マルチチャネル入力信号の前記少なくとも一つのチャネルを再構成するための第二のパラメトリック混合段を制御するための混合パラメータの第二の集合を決定する段階と；
混合パラメータの前記第一および第二の集合を出力する段階とを含む、
方法。
【請求項２４】
請求項２０または２３記載の方法を実行するための命令を有するコンピュータ可読媒体を有するコンピュータ・プログラム・プロダクト。
【発明の詳細な説明】
【技術分野】
【０００１】
関連出願への相互参照
本願は2013年9月12日に出願された米国仮特許出願第61/877,176号の優先権を主張するものである。同出願の内容はここに参照によってその全体において組み込まれる。
【０００２】
技術分野
本稿に開示される発明は、マルチチャネル・オーディオ符号化に、より詳細にはパラメトリックなマルチチャネル・オーディオ・エンコードおよびデコードのための技法に関する。
【背景技術】
【０００３】
パラメトリック・ステレオおよびマルチチャネル符号化方法は、聴取品質に関してスケーラブルであり効率的であることが知られており、そのため低ビットレート用途において特に魅力的なものとなっている。パラメトリック符号化方法は典型的には、すぐれた符号化効率を提供するが、時に、実装時に大量の計算または高度な構造上の複雑さを伴うことがある（中間的なバッファなど）。そのような方法の例については特許文献１参照。
【０００４】
既存のステレオ符号化方法は、その帯域幅効率、計算効率および／または堅牢さの観点から改善されうる。ダウンミックス信号における欠陥に対する堅牢さは、一時的に信号を歪めうるコア符号化器に依拠する用途において特に重要である。しかしながら、いくつかの従来技術のシステムでは、ダウンミックス信号における誤差は伝搬し、増倍することがある。最も限られた処理パワーをもちうる多機能携帯型消費者装置を含む広い範囲の装置のために意図される符号化方法は、瞬間的処理能力に関してもバッテリー放電サイクルにわたる全エネルギー使用に関しても所与の装置において利用可能な資源の不相応な分け前を要求しないよう、計算面でも簡素であるべきである。魅力的な符号化方法はまた、ハードウェアにおける少なくとも一つの簡単かつ効率的な実装を可能にしうる。いかにしてそのような符号化方法が、知覚される聴取品質に対して最も効率的に寄与するところで利用可能な計算、記憶および帯域幅資源を費やすかについての判断は、自明なタスクではなく、時間のかかる聴取試験を必要とすることがある。たとえば、パラメトリック符号化方法を適用するとき、いかにして好適なパラメータ値を決定するかおよびどの形でこれらを伝送および／または記憶するかの選択は、知覚される聴取品質に有意な影響をもつことがある。
【先行技術文献】
【特許文献】
【０００５】
【特許文献１】欧州特許第1410687号
【特許文献２】欧州特許第1616461号
【図面の簡単な説明】
【０００６】
例示的実施形態についてここで付属の図面を参照して述べる。
【図１】第一の例示的実施形態に基づくオーディオ・デコード・システムの一般化されたブロック図である。
【図２】ａ〜ｄは、少なくともいくつかの例示的実施形態に基づく、混合パラメータ値の補間の種々の形を示す図である。
【図３】第二の例示的実施形態に基づくオーディオ・デコード・システムの一般化されたブロック図である。
【図４】第三の例示的実施形態に基づくオーディオ・デコード・システムの一般化されたブロック図である。
【図５】第四の例示的実施形態に基づくオーディオ・デコード・システムの一般化されたブロック図である。
【図６】第五の例示的実施形態に基づくオーディオ・デコード・システムの一般化されたブロック図である。
【図７】例示的実施形態に基づくオーディオ・エンコード・システムの一般化されたブロック図である。
【発明を実施するための形態】
【０００７】
〈Ｉ．概観〉
本稿での用法では、オーディオ信号は純粋なオーディオ信号、オーディオビジュアル信号またはマルチメディア信号のオーディオ部分またはメタデータと組み合わせたこれらの任意のものでありうる。
【０００８】
第一の側面によれば、例示的実施形態は、二チャネル入力信号を処理するためのオーディオ・デコード・システム、オーディオ・デコード方法およびコンピュータ・プログラム・プロダクトを提案する。提案されるオーディオ・デコード・システム、オーディオ・デコード方法およびコンピュータ・プログラム・プロダクトは一般に同じまたは対応する特徴および利点をもつことがある。
【０００９】
例示的実施形態によれば、二チャネル入力信号を処理するためのオーディオ・デコード・システムが提供される。本オーディオ・デコード・システムは、前記二チャネル入力信号を受領し、混合パラメータの第一の集合を受領するよう適応された第一のパラメトリック混合段を有する。第一のパラメトリック混合段はさらに、第一の二チャネル出力信号を出力するよう適応されている。第一のパラメトリック混合段は、入力信号に基づいて第一の脱相関された信号を出力するよう適応された第一の脱相関段を有する。第一のパラメトリック混合段はさらに、入力信号および第一の脱相関された信号を受領して前記入力信号および前記第一の脱相関された信号からのチャネルの第一の二チャネル線形結合を形成し、該線形結合を前記第一の二チャネル出力信号として出力するよう適応された第一の混合行列〔マトリクス〕を有する。前記第一の線形結合の係数（すなわち、該係数の少なくともいくつか）は混合パラメータの前記第一の集合によって制御可能であり、混合パラメータの前記第一の集合の少なくとも四つの混合パラメータが独立に割り当て可能である。
【００１０】
混合パラメータの前記第一の集合の少なくとも四つの混合パラメータが独立に割り当て可能であるとは、これら少なくとも四つの混合パラメータのうちの任意のものの受領される値が、これら少なくとも四つの混合パラメータの残りのものについての受領される値が不変のままでありうる間に変化しうることを意味する。特に、前記第一のパラメトリック混合段は、一つの（任意の）混合パラメータのみの値によって異なるパラメータ値の諸集合を――たとえ異なる機会にであっても――受け入れ、実行するよう構成される。前記第一の二チャネル線形結合は、前記入力信号および前記第一の脱相関された信号の諸チャネルに複数の係数を適用することによって形成された二チャネル信号である。これらの係数の少なくともいくつかが混合パラメータの前記第一の集合によって制御可能であるとは、これらの係数の少なくともいくつかについて、前記混合パラメータの一つまたは複数を変えることによって異なる値を得ることができ、前記少なくとも四つの独立に割り当て可能な混合パラメータのそれぞれが前記係数のうち少なくとも一つの係数の制御に寄与する（すなわち、異なるパラメータは、同じ係数または異なる係数の制御に寄与しうる）ことを意味する。混合パラメータがある係数の制御に寄与するとは、その混合パラメータに関するその係数の偏微分が、該混合パラメータの少なくともいくつかの値については（あるいはパラメータ範囲／空間内のほとんどいたるところで）0でないことを意味するものと解釈されてもよい。
【００１１】
少なくとも四つの独立に割り当て可能な混合パラメータを受領し、これらを使って前記二チャネル入力信号に基づく前記二チャネル出力信号を形成することの一つの効果は、前記入力オーディオ信号におけるもとのオーディオ信号をエンコードするエンコーダ側におけるより多くの自由度を許容するということである。実際、前記独立に割り当て可能な混合パラメータは、エンコーダ側で実行された符号化および／またはダウンミックス動作についての情報を担持してもよく、デコード・システムが、エンコーダ側で使われた特定の符号化および／またはダウンミックス動作に適応する優れた能力をもって、前記二チャネル入力信号からもとのオーディオ信号のチャネルを再構成することを許容しうる。
【００１２】
さらに、二つより多くのチャネルを有するもとのオーディオ信号が、エンコーダ側で、前記デコード・システムの前記二チャネル入力信号にエンコードされていてもよく、前記受領された少なくとも四つの独立して割り当て可能な混合パラメータは、前記デコード・システムに、前記入力信号に基づいて、もとのオーディオ信号のチャネルの任意の二つを、前記入力信号に基づいて、前記第一の二チャネル出力信号として再構成することを許容しうる。実際、前記少なくとも四つの独立に割り当て可能な混合パラメータについての値の一つの集合が、もとのオーディオ信号のチャネルの第一の対の再構成を支配／制御してもよく、一方、前記少なくとも四つの独立に割り当て可能な混合パラメータについての値の別の集合が、同じデコード・システムにおいて、もとのオーディオ信号のチャネルの別の対の、同じ入力信号に基づく再構成を支配／制御してもよい。たとえば、いくつかの機能的に同一なデコード・システム（またはデコード・システム内の混合段）が、前記入力信号においてエンコードされているもとのオーディオ信号の異なるチャネルを再構成するよう並列に動作してもよい。それらのデコード・システム（またはデコード・システム内の混合段）は、混合パラメータの異なる集合によって制御される。
【００１３】
デコード・システムは四つもの独立に割り当て可能な混合パラメータを受領するので、デコード・システムによるもとのオーディオ信号の再構成は、受領された混合パラメータの値の逸脱（たとえば、伝送誤差、不正確または他の意図されない逸脱）に対してそれほど敏感ではないことがある。このことは、再構成された信号の知覚される品質に対する悪影響なしに受領された混合パラメータの、より粗いおよび／またはよりビット倹約的な量子化の使用を許容しうる。
【００１４】
ある例示的実施形態によれば、混合パラメータの前記第一の集合のパラメータは実数値であってもよい。すなわち、それらのパラメータは実数であってもよい。
【００１５】
ある例示的実施形態によれば、前記第一の脱相関段は、一チャネル信号として前記第一の脱相関信号を出力するよう適応されていてもよい。一チャネルの脱相関された信号を使うことの一つの効果は、該一チャネルの脱相関された信号を提供するために一つの脱相関器しか必要とされなくてもよいということである。一方、該一チャネルの脱相関された信号は、知覚的に受け入れ可能な音を得るためにデコード・システムにおける十分な制御可能性を提供する。
【００１６】
ある例示的実施形態によれば、第一の脱相関段は、前置混合行列および脱相関器を有していてもよい。前置混合行列は、前記入力信号からのチャネルの中間的な線形結合を形成するよう適応されていてもよい。今の例示的実施形態では、中間的な線形結合の係数は混合パラメータの前記第一の集合のみによって制御可能である。すなわち、前記中間的な線形結合の係数の制御に寄与するために前記第一の脱相関段によって他の何のパラメータも変数も受領されない。脱相関器は、前記中間的な線形結合を受領して、それに基づいて前記第一の脱相関された信号を出力するよう適応されていてもよい。たとえば、前記中間的な線形結合の各係数は、混合パラメータの前記第一の集合によって制御可能であってもよい。
【００１７】
前記少なくとも四つの独立に割り当て可能な混合パラメータのうちの一つまたは複数（たとえば二つ）が、前記中間的な線形結合の係数のうち少なくともいくつかの係数の制御に寄与してもよい。
【００１８】
例示的実施形態によれば、混合パラメータの前記第一の集合は、ちょうど四つの独立に割り当て可能な混合パラメータを有する。換言すれば、混合パラメータの前記第一の集合は、五つ以上の混合パラメータを有していてもよいが、本例示的実施形態では、それらの混合パラメータのうちちょうど四つが独立に割り当て可能である。特に、第一の脱相関段が前置混合行列を有する上記の例示的実施形態については、混合パラメータの前記第一の集合がちょうど四つの独立に割り当て可能な混合パラメータを有することは、前記第一の二チャネル線形結合における係数を制御する前記四つの独立に割り当て可能な混合パラメータが（いかなる追加的に受領されるパラメータまたは変数からの前記係数の制御への寄与もなしに）前置混合行列の係数をも制御することを含意する。
【００１９】
ある例示的実施形態によれば、脱相関器は、前記中間的な線形結合のチャネルを受領し、前記第一の脱相関された信号のチャネルを出力するよう適応された少なくとも一つの無限インパルス応答ラティス・フィルタを有していてもよい。
【００２０】
ある例示的実施形態によれば、脱相関器は、前記中間的な線形結合における音の終わりを検出し、それに応答して是正アクションを行なうよう構成されたアーチファクト減衰器を有していてもよい。前記入力信号がアクティブなオーディオ・コンテンツのある期間後に無音になる場合、前記第一の出力信号において、過渡音および／または他のアーチファクトが人間の耳によって検知可能であることがある。たとえば前記入力信号におけるそのような無音期間の始まりにおいて前記中間的なオーディオ信号を減衰させることによって、脱相関器は、前記第一の脱相関された信号および前記第一の出力信号における過渡音および／または他のアーチファクトの影響を低減しうる。
【００２１】
ある例示的実施形態によれば、オーディオ・デコード・システムはさらに、前記二チャネル入力信号を受領し、混合パラメータの前記第一の集合とは独立な混合パラメータの第二の集合を受領するよう適応された第二のパラメトリック混合段を有していてもよい。第二のパラメトリック混合段は、第二の二チャネル出力信号を出力するよう適応されていてもよい。第二のパラメトリック混合段は、入力信号に基づいて第二の脱相関された信号を出力するよう適応された第二の脱相関段を有していてもよい。第二のパラメトリック混合段はさらに、入力信号および第二の脱相関された信号を受領するよう適応された第二の混合行列〔マトリクス〕を有していてもよい。該第二の混合行列は、前記入力信号および前記第二の脱相関された信号からチャネルの第二の二チャネル線形結合を形成し、該第二の線形結合を前記第二の二チャネル出力信号として出力するよう適応されていてもよい。前記第二の線形結合の係数の少なくともいくつかは混合パラメータの前記第二の集合によって制御可能であってもよく、前記第二の集合の少なくとも四つの混合パラメータが独立に割り当て可能である。
【００２２】
混合パラメータの前記第二の集合が混合パラメータの前記第一の集合と独立であるとは、前記第二の集合の前記少なくとも四つの独立に割り当て可能な混合パラメータが、前記第一の集合における混合パラメータに対しても独立に割り当て可能であることを意味する。前記第二の二チャネル線形結合の係数の少なくともいくつかが混合パラメータの前記第二の集合によって制御可能であるとは、前記第二の集合の混合パラメータの一つまたは複数を変えることによってそれらの係数の少なくともいくつかについて異なる値が得られることがありうること、そして前記第二の集合の前記少なくとも四つの独立に割り当て可能な混合パラメータのそれぞれがこれらの係数のうち少なくとも一つの係数の制御に寄与する（すなわち、異なるパラメータは、同じ係数または異なる係数の制御に寄与しうる）ことを意味する。
【００２３】
前記第一および第二の混合段は、並列に、互いに独立に実行されて、同じ入力信号に基づいてそれぞれ前記第一および第二の二チャネル出力信号を生成してもよい。それぞれ前記第一および第二の混合段によって受領される混合パラメータの前記第一および第二の集合の値は、たとえ前記第一および第二の混合段が機能的に等価である例示的実施形態においてであっても、前記第一および第二の混合段に相異なる出力信号を生成させることがある。前記第二の混合段は、量子化フォーマット、周波数帯域分解能および／または更新頻度（すなわち、前記パラメータにどのくらい頻繁に新しい値が割り当てられることができるか）のような属性をもつパラメータの前記第一の集合であって、前記第一の混合段が受領する混合パラメータの前記第一の集合の対応する属性とは異なるものを受領するよう動作可能であってもよい。
【００２４】
ある例示的実施形態によれば、混合パラメータの前記第二の集合の前記パラメータは、実数値であってもよい。すなわち、それらのパラメータは実数であってもよい。
【００２５】
ある例示的実施形態によれば、前記第一の混合行列は、第一のクロスオーバー周波数までの周波数に対応するスペクトル・データを含む第一のサイド信号を受領するよう適応されていてもよい。前記第一の混合行列は、前記第一のサイド信号と、前記入力信号および前記第一の脱相関された信号からのチャネルとから前記第一の二チャネル線形結合を形成するよう動作可能であってもよい。本例示的実施形態では、前記第二の混合行列は、第二のクロスオーバー周波数（第一のクロスオーバー周波数に等しいまたは相異なる）までの周波数に対応するスペクトル・データを含む第二のサイド信号を受領するよう適応されていてもよい。前記第二の混合行列は、前記第二のサイド信号と、前記入力信号および前記第二の脱相関された信号からのチャネルとから前記第二の二チャネル線形結合を形成するよう動作可能であってもよい。
【００２６】
前記二チャネル入力信号によってマルチチャネル・オーディオ信号が表現されてもよく、このマルチチャネル・オーディオ信号のチャネルがデコード・システムによって、前記二チャネル入力信号および前記第一および第二の集合の混合パラメータに基づいて再構成されてもよい。前記入力信号および混合パラメータを使うパラメトリック符号化／復号が、人間の耳がより敏感な比較的低い周波数について、前記入力信号および一つまたは複数のサイド信号からの追加的情報を使う離散的符号化／復号によって置換される（または補足される）場合には、再構成されたチャネルの知覚される音質が改善されうる。第一のクロスオーバー周波数より下の周波数について、第一のサイド信号は、ミッド信号（または和信号）として作用する前記入力信号のチャネルの一つと一緒に使うための、サイド信号（または差信号）として作用しうる。第一のクロスオーバー周波数より下の周波数については、第一の混合行列は、前記第一のサイド信号と、前記入力信号および前記第一の脱相関された信号のチャネルとから前記第一の二チャネル線形結合を形成してもよい。第一のクロスオーバー周波数より下の周波数については、第一の混合行列はたとえば、サイド／差信号（前記第一のサイド信号）およびミッド／和信号（前記入力信号の第一のチャネル）の離散的なデコードを実行することによって、前記第一の線形結合を提供してもよい。同様に、第二のクロスオーバー周波数よりしたの周波数については、第二の混合行列は、前記第二のサイド信号と、前記入力信号および前記第二の脱相関された信号のチャネルとから前記第二の二チャネル線形結合を形成してもよい。第二のクロスオーバー周波数より下の周波数については、第二の混合行列はたとえば、サイド／差信号（前記第二のサイド信号）およびミッド／和信号（前記入力信号の第二のチャネル）の離散的なデコードを実行することによって、前記第二の線形結合を提供してもよい。第一および第二のサイド信号の使用についてのさらなる詳細については、図４を参照しての下記の記述を参照されたい。
【００２７】
ある例示的実施形態によれば、本オーディオ・デコード・システムはさらに、前記二チャネル入力信号を受領し、混合パラメータの第一および第二の集合と独立な混合パラメータの第三の集合を受領するよう適応された第三のパラメトリック混合段を有していてもよい。第三のパラメトリック混合段は、第三の出力信号を出力するよう適応されており、第三のパラメトリック混合段は、独立なオーディオ・コンテンツをもつ高々一つのチャネルを前記第三の出力信号において提供するよう適応されている。第三のパラメトリック混合段は、前記入力信号を受領し、前記入力信号からチャネルの第三の線形結合を形成し、該第三の線形結合を前記第三の出力信号として出力するよう適応された第三の混合行列〔マトリクス〕を有していてもよい。前記第三の線形結合の少なくともいくつかの係数は混合パラメータの前記第三の集合によって制御可能であり、その際、前記第三の集合の少なくとも二つの混合パラメータが独立に割り当て可能である。
【００２８】
前記第三の出力信号は一チャネル信号であってもよく、あるいはマルチチャネル信号（たとえば前記第一および第二の出力信号と同様に二チャネル信号）であってもよいが、この例示的実施形態では、第三の出力信号は、独立なオーディオ・コンテンツをもつ高々一つのチャネルを有する。たとえば、第三の出力信号は、オーディオ・コンテンツをもつ一つのチャネルと、独立なオーディオ・コンテンツのない一つまたは複数の空の／中立的なオーディオ・チャネルとを有する。
【００２９】
いくつかの例示的実施形態では、第三の混合段が前記入力信号に基づいて第三の脱相関された信号を出力する第三の脱相関段を有していてもよく、前記第三の脱相関された信号が前記第三の混合行列によって前記第三の出力信号を形成するために使われるという点で、第三の混合段は第一の混合段と機能的に同様であってもよい。
【００３０】
ある例示的実施形態によれば、混合パラメータの前記第三の集合のパラメータは実数値であってもよい。すなわち、それらのパラメータは実数であってもよい。
【００３１】
ある例示的実施形態によれば、本デコード・システムは、前記二チャネル入力信号を受領し、混合パラメータの第一および第二の集合と独立な混合パラメータの第三の集合を受領するよう適応された第三のパラメトリック混合段を有していてもよい。第三のパラメトリック混合段は、第三の出力信号を出力するよう適応されていてもよい。第三の混合段は、前記入力信号に基づいて第三の脱相関された信号を出力するよう適応された第三の脱相関段を有していてもよい。第三のパラメトリック混合段は、前記入力信号および前記第三の脱相関された信号を受領し、前記入力信号および前記第三の脱相関された信号からチャネルの第三の二チャネル線形結合を形成し、該第三の線形結合を前記第三の二チャネル出力信号として出力するよう適応された第三の混合行列〔マトリクス〕を有していてもよい。前記第三の線形結合の少なくともいくつかの係数は混合パラメータの前記第三の集合によって制御可能であり、その際、（直前の例示的実施形態とは違って）前記第三の集合の少なくとも四つの混合パラメータが独立に割り当て可能である。
【００３２】
三つのパラメトリック混合段を使うことによって、本例示的実施形態のデコード・システムは、前記二チャネル入力信号および受領された混合パラメータに基づいて、独立したコンテンツをもつ六つまでの出力チャネルを提供しうる。
【００３３】
ある例示的実施形態によれば、オーディオ・デコード・システムは、混合パラメータのコレクションを受領するよう適応されたコントローラを有していてもよい。コントローラは、受領されたパラメータのコレクションの部分集合である混合パラメータの前記第一、第二および第三の集合を、それぞれ前記第一、第二および第三のパラメトリック混合段に提供するよう適応されていてもよい。コントローラは、前記第三の出力信号における独立なオーディオ・コンテンツをもつ高々一つのチャネルを提供するために、混合パラメータの前記第三の集合を介して、前記第三の混合段を制御するよう適応されていてもよい。
【００３４】
本実施形態の前記第一、第二および第三のパラメトリック混合段は、機能的に同一であってもよいが、前記第三の混合段は、前記第一および第二のパラメトリック混合段とは異なる型の出力を提供するようコントローラによって制御されてもよい。前記第三のパラメトリック混合段はたとえば、前記第三の出力信号を、空の（0の／中立の）チャネルを伴った一チャネル・オーディオ信号として提供するよう制御されてもよい。コントローラはたとえば、ビットストリームから混合パラメータの前記第一、第二および第三の集合を抽出し、混合パラメータの前記第一、第二および第三の集合をそれぞれ前記第一、第二および第三の混合段に提供するデマルチプレクサであってもよい。
【００３５】
ある例示的実施形態によれば、オーディオ・デコード・システムはさらに、前記二チャネル入力信号と、混合パラメータの前記第一の集合からの少なくとも三つの混合パラメータ、混合パラメータの前記第二の集合からの少なくとも三つの混合パラメータおよび混合パラメータの前記第一、第二および第三の集合とは独立な少なくとも一つの追加的な混合パラメータを含む混合パラメータの拡張集合とを受領するよう適応された追加的なパラメトリック混合段を有していてもよい。該追加的なパラメトリック混合段は、少なくとも五つのチャネルを有する追加的な出力信号を出力するよう適応されていてもよい。デコード・システムはさらに、前記追加的出力信号の諸チャネルをそれぞれ前記第一の出力信号、前記第二の出力信号および前記第三の出力信号の諸チャネルに加えるよう適応された加算段を有していてもよい。前記追加的なパラメトリック段は、前記入力信号に基づいて追加的な脱相関された信号を出力するよう適応された追加的な脱相関段を有していてもよい。前記追加的なパラメトリック段は、前記追加的な脱相関された信号および混合パラメータの前記拡張集合に基づいて前記追加的な出力信号を生成するよう適応されたアップミックス行列を有していてもよい。
【００３６】
前記第一、第二および第三の出力信号への加法的な寄与を形成するために前記追加的な脱相関された信号を使うことにより、デコード・システムが、前記入力オーディオ信号によって表わされているマルチチャネル・オーディオ信号の、より忠実な再構成を提供する能力が改善されうる。前記第一、第二および第三の出力信号への加法的な寄与を形成するために前記追加的な脱相関された信号を使うことにより、たとえば、前記第一、第二および第三の出力信号のチャネルの五チャネル再正中の再生音の知覚される次元性（dimensionality）が増大されうる。
【００３７】
いくつかの例示的実施形態では、パラメータの前記拡張集合からの混合パラメータは、混合パラメータの前記第一の集合からの前記独立に割り当て可能なパラメータのうちの少なくとも三つと、混合パラメータの前記第二の集合からの前記独立に割り当て可能なパラメータのうちの少なくとも三つとを含んでいてもよい。パラメータの前記拡張集合に含まれるこれらの独立に割り当て可能な混合パラメータのそれぞれは、先に論じた意味で、前記追加的な出力信号を形成するために、前記アップミックス行列によって使用される少なくとも一つの係数の制御に寄与しうる。前記追加的な混合パラメータも、前記追加的な出力信号を形成するために、前記アップミックス行列によって使用される少なくとも一つの係数の制御にも寄与しうる。
【００３８】
ある例示的実施形態によれば、前記第一のパラメトリック混合段は、複数の周波数サブバンドに関連付けられた混合パラメータの前記第一の集合の値を受領するよう適応されていてもよい。前記第一のパラメトリック混合段は、対応する周波数サブバンドに関連付けられた混合パラメータの前記第一の集合の値（すなわち、それらの値は対応する周波数サブバンドに関連付けられている）を使って、前記入力信号および前記第一の脱相関された信号の周波数サブバンド表現に対して作用するよう適応されてもよい。
【００３９】
同様に、いくつかの例示的実施形態では、前記第二、第三および／または第四のパラメトリック混合段（またはデコード・システム全体）は、対応する周波数サブバンドに関連付けられた混合パラメータの値を使って、前記入力信号（および前記脱相関された信号）の周波数サブバンド表現に対して作用するよう適応されてもよい。いくつかの例示的実施形態では、デコード・システムの異なるパラメトリック混合段において異なる周波数サブバンド分割が使用されてもよい。
【００４０】
ある例示的実施形態によれば、前記第一のパラメトリック混合段は、非一様な周波数サブバンド分割を用いるよう適応されていてもよい。これは、人間の耳が相対的により敏感でない周波数範囲については、相対的により粗いサブバンド分割を使うことによって、計算面での効率性および／または伝送されるパラメータの帯域幅削減を許容しうるとともに、人間の耳が相対的により敏感である周波数範囲については、相対的により細かいサブバンド分割を使うことによって、それほど敏感でない周波数範囲における正確さを代償として、再構成されるオーディオ信号の改善された忠実さを許容しうる。
【００４１】
ある例示的実施形態によれば、混合パラメータの前記第一の集合の少なくとも一つの独立に割り当て可能なパラメータは、前記第一の脱相関された信号の、前記第一の線形結合への寄与を制御しうる。ある例示的実施形態によれば、混合パラメータの前記第一の集合の二つの独立に割り当て可能なパラメータは、第一の量子化されたフォーマットにおいて前記第一のパラメトリック混合段によって受領されてもよく、前記二つの入力信号チャネルの、中間的な線形結合への相対的な寄与を制御してもよい。さらに、混合パラメータの前記第一の集合の二つの異なる独立に割り当て可能なパラメータは、前記第一の量子化されたフォーマットとは相異なる第二の量子化されたフォーマットにおいて前記第一のパラメトリック混合段によって受領されてもよく、前記中間的な線形結合および前記第一の脱相関された信号の、前記第一の出力信号への相対的な寄与を制御してもよい。本実施形態では、前記第一の脱相関された信号は、前記中間的な線形結合の脱相関されたバージョンである。
【００４２】
本実施形態では、前記第一のパラメトリック混合段において、異なる型のおよび／または定性的に異なる役割を持つ混合パラメータがある。異なるパラメータ型についての異なる量子化フォーマットの使用は、符号化効率を改善しうる。たとえば、小さな逸脱が、出力信号の経験されるオーディオ品質に対して相対的により少ない影響を引き起こしうるパラメータ型については、より粗い量子化スケールを使うことによって、帯域幅および／または記憶スペースが節約されうるからである。量子化フォーマットは、パラメータの測定されたまたは経験された統計にマッチするよう選ばれてもよい。
【００４３】
いくつかの例示的実施形態では、上記のパラメトリック混合段の少なくともいくつかは、混合パラメータのそれぞれの集合を異なる量子化フォーマットで受領するよう適応されていてもよい。すなわち、デコード・システムにおける異なるパラメトリック混合段は、異なる量子化フォーマットで混合パラメータを受領してもよい。
【００４４】
ある例示的実施形態によれば、第一のパラメトリック混合段は、第一の時間分解能をもつ前記入力信号を受領するよう適応されていてもよい。ここで、前記入力信号は一定数のサンプルを有する時間フレームに分割されている。すなわち、時間フレームは同数のサンプルを有する。第一のパラメトリック混合段は、ある時間フレームの間に、混合パラメータの前記第一の集合の各パラメータの一つの値を受領するよう動作可能であってもよい。前記第一のパラメトリック混合段はさらに、ある時間フレームの間に、混合パラメータの前記第一の集合の各パラメータの二つの値を受領するよう動作可能であってもよい。
【００４５】
換言すれば、前記第一のパラメトリック混合段は、ある時間フレームにおいて、たとえば当該時間フレームにおけるそのような値の利用可能性に依存して、あるいは当該時間フレームにおいていくつの値を受領するべきかを示す専用の信号に応答して、混合パラメータの前記第一の集合の各パラメータの一つの値または二つの値を受領しうる。図２のａ〜ｄを参照した下記の記述も参照されたい。
【００４６】
時間フレームはたとえばMDCTフレーム（修正離散コサイン変換）であってもよい。典型的なMDCTフレーム長さは1536サンプルである。
【００４７】
ある例示的実施形態によれば、第一のパラメトリック混合段は、第一の時間分解能をもつ混合パラメータの前記第一の集合を受領し、該第一の時間分解能をもつ混合パラメータの前記第一の集合から、第二の時間分解能をもつ一つまたは複数の混合パラメータの集合を生成するために時間的な補間を用いるよう動作可能であってもよい。第二の時間分解能はたとえば、前記入力信号を処理するときに前記第一の混合段によって使われうる。補間についてのさらなる詳細については、図２のａ〜ｄを参照した下記の記述を参照されたい。
【００４８】
混合パラメータの補間はたとえば、急速に変化する混合パラメータがデコード・システムにおいて使われるときに普通なら生じる、前記第一の出力信号におけるノイズ、不安定性および／または他の望ましくない効果を低減しうる。
【００４９】
いくつかの例示的実施形態では、デコード・システムの異なるパラメトリック混合段において異なる補間技法が用いられてもよい。
【００５０】
ある例示的実施形態によれば、前記第一および第二のパラメトリック混合段は機能的に同一であってもよい。たとえば、二つの同一のパラメトリック混合段は、前記第一および第二のパラメトリック混合段として使われてもよい。機能的に同一ではあるが、前記第一および第二のパラメトリック混合段は、前記第一および第二の集合の混合パラメータによって制御されて、相異なる第一および第二の出力信号を生成しうる。
【００５１】
いくつかの例示的実施形態によれば、前記第二および／または第三の脱相関段は、前記第一の脱相関段と同じ構造を有していてもよい。すなわち、前記第一の混合段におけるのと同じ役割をもつ前置混合行列および脱相関器を有していてもよい。
【００５２】
いくつかの例示的実施形態によれば、前記第二、第三および／または第四の脱相関された信号は、前記第一の脱相関された信号を得るために前記第一の混合段において使われる脱相関器と同じ型の一つまたは複数の脱相関器を使って、得られてもよい。いくつかの例示的実施形態では、異なるパラメトリック混合段の脱相関器においては異なる設定が使われてもよい。
【００５３】
第二の側面によれば、例示的実施形態は、マルチチャネル入力信号を処理するためのオーディオ・エンコード・システム、オーディオ・エンコード方法およびコンピュータ・プログラム・プロダクトを提案する。提案されるエンコード・システム、エンコード方法およびコンピュータ・プログラム・プロダクトは一般に同じまたは対応する特徴および利点をもつことがある。
【００５４】
第一の側面に基づくデコード・システムについて上記で呈示した特徴およびセットアップに関する利点は一般には、デコード・システムと協働するよう適応された第二の側面に基づくエンコード・システムについての対応する特徴およびセットアップについても有効でありうる。
【００５５】
例示的実施形態によれば、マルチチャネル入力信号を処理するためのオーディオ・エンコード・システムが提供される。本オーディオ・エンコード・システムは、前記マルチチャネル入力信号を受領し、それに基づいて二チャネル出力信号を出力するよう適応された混合段を有する。本エンコード・システムはさらに、前記マルチチャネル入力信号および前記二チャネル出力信号を受領するよう適応されたパラメータ解析器を有する。パラメータ解析器は、前記二チャネル出力信号と、前記マルチチャネル入力信号のうちの二つのチャネルとに基づいて、前記二チャネル出力信号から前記マルチチャネル入力信号の前記二つのチャネルを再構成するための第一のパラメトリック混合段を制御するための混合パラメータの第一の集合を出力するよう適応された第一のパラメータ解析段を有する。前記第一のパラメータ解析器はさらに、前記二チャネル出力信号と、前記マルチチャネル入力信号のうちの少なくとも一つのチャネル（前記第一のパラメータ解析段によって使われた前記マルチチャネル入力信号の前記二つのチャネルとは相異なるもの）とに基づいて、前記二チャネル出力信号から前記マルチチャネル入力信号の前記少なくとも一つのチャネルを再構成するための第二のパラメトリック混合段を制御するための混合パラメータの第二の集合を出力するよう適応された第二のパラメータ解析段を有する。本例示的実施形態のエンコード・システムでは、前記第二のパラメータ解析段は、前記第一のパラメータ解析段とは独立して動作するよう構成されている。すなわち、前記第二のパラメータ解析段は、前記第一のパラメータ解析段から受領されるデータ／情報に頼ることなく混合パラメータの前記第二の集合を決定するよう構成される。
【００５６】
前記二チャネル出力信号は、フルのマルチチャネル信号を扱う代わりに、前記混合パラメータと一緒に記憶および／または伝送するのに好適でありうる。
【００５７】
パラメータの前記第二の集合が前記第一のパラメータ解析段とは独立して前記第二のパラメータ解析段によって決定されることで、前記第一の集合のパラメータの決定に使われる技法／方法とは独立に、前記第二の集合のパラメータを決定するための技法／方法を選択することにおいて自由度が増す。さらに、量子化フォーマット、周波数帯域分解能および更新頻度（すなわち、前記パラメータにどのくらい頻繁に新しい値が割り当てられることができるか）パラメータの属性は混合パラメータの前記第一の集合と前記第二の集合とで異なることがありうる。
【００５８】
技法／方法および／またはパラメータ属性を選択することにおける自由は、混合パラメータのよりビット効率のよい使用を許容でき、および／または二チャネル出力信号および混合パラメータに基づいて再構成されるマルチチャネル入力信号のチャネルの知覚される音質を高めることを許容できる。
【００５９】
たとえば、第一のパラメータ解析段は、前記二チャネル出力信号からのマルチチャネル入力信号の前記二つのチャネルの再構成のために特に好適である技法／方法および／またはパラメータ属性を用いてもよく、一方、第二のパラメータ解析段は、前記二チャネル出力信号からマルチチャネル入力信号の前記少なくとも一つのチャネルを再構成するために特に好適な技法／方法および／またはパラメータ属性を用いてもよい。特に、第一のパラメータ解析段によって用いられる技法／方法および／またはパラメータ属性は、前記マルチチャネル入力信号の受領される二つのチャネルおよび前記二チャネル出力信号のオーディオ・コンテンツにに基づいて適応され（すなわち、時間の経過につれて調整され）てもよく、第二のパラメータ解析段によって用いられる技法／方法および／またはパラメータ属性は、前記マルチチャネル入力信号の受領される少なくとも一つのチャネルおよび前記二チャネル出力信号のオーディオ・コンテンツにに基づいて適応され（すなわち、時間の経過につれて調整され）てもよい。それぞれの技法／方法は、マルチチャネル入力信号におけるチャネルの既知のまたは期待される属性に基づいて選択されてもよい。たとえば、前方チャネルにおいてはサラウンド・チャネルとは異なる統計的属性を期待することが合理的でありうる。
【００６０】
いくつかの例示的実施形態では、第一のパラメータ解析段は、第二のパラメータ解析段とは独立に動作するよう構成されてもよい。すなわち、前記第二のパラメータ解析段から受領されるデータ／情報に頼ることなく混合パラメータの前記第一の集合を決定するよう構成されていてもよい。特に、第一のパラメータ解析段および／または第二のパラメータ解析段は、異なるパラメータ解析段によって生成された中間結果に頼ることなく、入力データの自己完結したストリームを受け入れるよう構成されていてもよい。
【００６１】
いくつかの例示的実施形態では、混合パラメータの前記第一の集合は、前記二チャネル出力信号から前記マルチチャネル入力信号の前記二つのチャネルを再構成するために第一のパラメトリック混合段において実行されるべき少なくとも一つの二チャネル線形結合を制御するよう適応されていてもよい。同様に、混合パラメータの前記第二の集合は、前記二チャネル出力信号から前記マルチチャネル入力信号の前記少なくとも一つのチャネルを再構成するために第二のパラメトリック混合段において実行されるべき少なくとも一つの二チャネル線形結合を制御するよう適応されていてもよい。
【００６２】
いくつかの例示的実施形態では、混合パラメータの前記第一の集合は少なくとも四つの混合パラメータを含み、混合パラメータの前記第二の集合は少なくとも、前記マルチチャネル入力信号の前記少なくとも一つのチャネルにおけるチャネル数の二倍であってもよい。再構成されるべき前記マルチチャネル入力信号におけるチャネル数の少なくとも二倍の混合パラメータを出力することにより、エンコード・システムは、デコード・システムにおける前記マルチチャネル入力信号の再構成を容易にしうる。デコード・システムはたとえば二つ以上の独立して動作するパラメトリック混合段を有する。特に、そのような各混合段は、デコード・システムにおける近隣の並列な混合段との相互作用なしにそのタスクを充足しうる。たとえば、近隣の混合段どうしが混合パラメータの値を求めて互いにポーリングしたり、中間的な信号を交換もしくは共有することは必要ない。これは、高度のモジュラー性および／または並列化を許容する。
【００６３】
ある例示的実施形態によれば、混合パラメータの前記第一および第二の集合のパラメータは実数値であってもよい。すなわち、それらのパラメータは実数であってもよい。
【００６４】
ある例示的実施形態によれば、パラメータ解析器はさらに、前記マルチチャネル入力信号に基づいて、追加的な混合パラメータを出力するよう適応されていてもよい。前記第一および第二のパラメトリック混合段の出力チャネルに対する追加的な脱相関された信号の寄与を制御するためである。
【００６５】
脱相関器は、混合パラメータを使って、より少数のチャネルからより多数のチャネルを再構成するときに使われてもよい。混合パラメータはたとえば、前記マルチチャネル入力信号のチャネルを再構成するために脱相関器を用いるパラメトリック混合段における使用のために適応されてもよい。第一および第二のパラメトリック混合段の出力チャネルに対する追加的な脱相関された信号の寄与を制御するための追加的な混合パラメータを提供することによって、エンコード・システムは、前記パラメトリック混合段を有するデコード・システムにおける前記マルチチャネル・オーディオ信号のより忠実な再構成を可能にするまたは少なくとも容易にする。
【００６６】
さらなる例示的実施形態は従属請求項において定義される。本発明は、たとえ互いに異なる請求項において記載されているものであっても特徴のあらゆる組み合わせに関する。
【実施例】
【００６７】
〈ＩＩ．例示的実施形態〉
図１は、二チャネル入力信号Xを処理するためのオーディオ・デコード・システム１００の一般化されたブロック図である。オーディオ・デコード・システム１００は、前記二チャネル入力信号Xを受領し、少なくとも四つの独立に割り当て可能な混合パラメータを含む混合パラメータの集合P1を受領するよう適応されたパラメトリック混合段１１０を有する。換言すれば、混合パラメータの集合P1は、五つ以上の混合パラメータを含んでいてもよいが、それらの混合パラメータのうち少なくとも四つが独立な（すなわち、互いとの関係において独立な）パラメータである。パラメトリック混合段１１０はさらに、二チャネル入力信号Xおよび混合パラメータの集合P1に基づいて二チャネル出力信号Y1を出力するよう適応されている。パラメトリック混合段１１０は、脱相関段１１１および混合行列１１２を有する。脱相関段１１１は、入力信号Xに基づいて脱相関された信号D1を出力するよう適応されている。図１では、脱相関された信号D1は一チャネル信号によって例示されているが、いくつかの例示的実施形態では、脱相関された信号D1は複数のチャネルを有していてもよい。たとえば、脱相関された信号D1は入力信号Xのような二チャネル信号であってもよい。
【００６８】
混合行列１１２は、入力信号Xおよび第一の脱相関された信号D1を受領するよう適応されている。混合行列１１２はさらに、入力信号Xからのチャネルおよび脱相関された信号D1からのチャネルの二チャネル線形結合を形成し、この線形結合を前記二チャネル出力信号Y1として出力するよう適応されている。混合行列１１２は、パラメータの集合P1を使ってこの線形結合を形成するよう適応されている。すなわち、線形結合の係数の少なくともいくつかは混合パラメータの集合P1によって制御可能である。
【００６９】
図１に描かれる構造のいくつかの例示的実装では、脱相関段１１１は、パラメータの集合P1を使って（またはパラメータの集合P1の部分集合を使って）脱相関された信号D1を形成してもよい。たとえば、脱相関段１１１は、入力信号Xからの二つのチャネルの中間的な線形結合Z1を形成するよう適応されている前置混合行列１１３を有していてもよい。ここで、この中間的な線形結合Z1の係数の少なくともいくつか（たとえば該係数の全部）は混合パラメータの集合P1内のパラメータの一つまたは複数によって制御可能である。今の例では、脱相関段１１１はさらに、中間的な線形結合Z1を受領して、それに基づいて脱相関された信号D1を出力するよう適応された脱相関器１１４を有していてもよい。脱相関された信号D1はたとえば、遅延され、位相シフトされ、および／またはリバーブ型効果によって処理されてもよい。いくつかの脱相関器設計が当技術分野において既知である。脱相関器１１４として使用されうる例示的な設計については、たとえば特許文献１および特許文献２を参照されたい。いくつかの例示的実施形態では、中間的な線形結合Z1は一チャネル信号であってもよく、脱相関器１１４は一チャネルの脱相関された信号D1を出力してもよい。他の実施形態では、中間的な線形結合Z1はマルチチャネル信号であってもよく、脱相関器１１４は、それぞれが中間的な線形結像Z1のそれぞれのチャネルに基づいてマルチチャネルの脱相関された信号D1の一つのチャネルを出力するいくつかのサブ脱相関器を有していてもよい。
【００７０】
特に、脱相関器１１４は、中間的な線形結合Z1のチャネルを受領し、脱相関された信号D1のチャネルを出力するよう適応された一つまたは複数の無限インパルス応答ラティス・フィルタを有していてもよい。さらに、脱相関器１１４はたとえば、中間的な線形結合Z1における音の終わりを検出し、それに応答して是正アクションを行なうよう構成されたアーチファクト減衰器を有していてもよい。アクティブなオーディオ・コンテンツの期間後に入力信号Xが無音になる場合、出力信号Y1において、過渡音および／または他のアーチファクトが人間の耳によって検知可能であることがある。たとえば入力信号Xにおけるそのような無音期間の始まりにおいて中間的なオーディオ信号Z1を減衰させることによって、脱相関器１１４は、脱相関された信号D1および出力信号Y1における過渡音および／または他のアーチファクトの影響を低減しうる。
【００７１】
中間的な線形結合Z1は、入力信号Xに行列Aを適用した結果として表現できる。脱相関された信号D1は
D1＝Dec(AX)
と表わせる。ここで、Dec()は脱相関器１１４によって実行される脱相関を表わす。Dec()はAXがマルチチャネル信号である場合には要素ごとの脱相関を表わすことを注意しておく。出力信号Y1は入力信号Xおよび脱相関された信号D1に行列Bを適用した結果として表わせる。
【００７２】
【数１】
2016536646.tif 000003
図１に描かれた構造のいくつかの例示的実装では、パラメトリック混合段１１０は、複数の周波数サブバンドに関連付けられた混合パラメータの集合P1の値を受領し、対応する周波数サブバンドに関連付けられた混合パラメータの集合P1の値を使って、入力信号Xおよび脱相関された信号D1の周波数サブバンド表現に対して作用するよう適応されていてもよい。同様に、前置混合行列１１３は、入力信号Xの周波数サブバンド表現に対して作用するよう適応されていてもよい。入力信号はたとえば（たとえば直交ミラー・フィルタリング（QMF）を使って）変換された、変換に関連付けられた周波数サブバンド（たとえば、QMFサブバンド）において表わされるフォーマットで受領されてもよい。混合パラメータの受領された値は、入力信号Xの変換サブバンドとは異なる周波数分解能をもつ周波数サブバンドに関連付けられてもよい。混合パラメータの受領された値は、この場合、たとえば二つ以上のQMFサブバンドを一緒にグループ化して、これら二つ以上のQMFサブバンドについて混合パラメータの同じ値を適用することによって、適切な変換サブバンド（たとえばQMFサブバンド）にマッピングされうる。
【００７３】
パラメトリック混合段１１０は、非一様な周波数サブバンド分割を用いてもよい。たとえば、それらのサブバンドは、人間の聴覚系の感度を反映してもよい。サブバンド分割は、人間の耳が相対的により敏感な周波数範囲（典型的には低周波数および中周波数）について、より細かくするのである。
【００７４】
いくつかの実施形態では、パラメトリック混合段１１０は、第一の時間分解能をもつ入力信号Xを受領するよう適応されていてもよい。ここで、前記入力信号は一定数のサンプルを有する時間フレームに分割されている（すなわち、各フレームに同数のサンプル）。そのような実施形態では、パラメトリック混合段１１０は、ある時間フレームの間に、混合パラメータの集合P1の各パラメータの一つまたは複数の値を受領するよう動作可能であってもよい（詳細については、下記の図２のａ〜ｄの記述を参照）。入力信号Xは、たとえば、オーディオ・デコード・システム１００によって、MDCT符号化されたフォーマット（修正離散コサイン変換）で受領されてもよく、時間フレームはMDCT変換のストライドに対応する長さをもつMDCTフレームであってもよい。
【００７５】
現在の周波数サブバンドをインデックスkで表わし、現在のサンプル（たとえばQMFサンプル）をインデックスnで表わすと、脱相関された信号D1および出力信号Y1は次のように表わせる。
【００７６】
【数２】
2016536646.tif 000004
混合（および前置混合）の間に係数として使われる行列A(n,k)およびB(n,k)の要素は、たとえば、対応する周波数サブバンドおよびサンプルについての混合パラメータの集合P1の値によって制御されうる。いくつかの例示的実施形態では、行列A(n,k)およびB(n,k)は、それぞれ行列EおよびFの時間補間されたバージョンとして得られてもよい。行列EおよびFの例は下記で種々のシナリオにおいて記述する。行列EおよびFから行列A(n,k)およびB(n,k)を得るための種々の時間補間方式がのちに図２のａ〜ｄとの関係で記述される。
【００７７】
第一のシナリオでは、入力信号Xは圧縮されたフォーマットにおけるステレオ・オーディオ信号を表わす。ステレオ・オーディオ信号の左右のチャネルは入力信号Xにおいては、空の（または0の／中立の）チャネルが入力信号Xにおいて伴う一チャネル・ダウンミックスとして符号化される。今のシナリオのダウンミックス信号が入力信号Xにおいて第一のチャネルとして位置されるとすると、デコード・システム１００は、ステレオ・オーディオ信号を再構成するために、前置混合行列１１３および混合行列１１２においてそれぞれ次の行列において記述される値を用いてもよい。
【００７８】
【数３】
2016536646.tif 000005
行列EおよびFは、それぞれ前置混合行列１１３および混合行列１１２において使用されるべき、次の、より一般的な行列の例示的具現と見ることができる。
【００７９】
【数４】
2016536646.tif 000006
一般的な行列EおよびFはパラメータ（α1,β1,γ1,γ2）の集合P1、すなわち独立に割り当て可能であるちょうど四つのパラメータによってパラメータ化される。特に、行列Eを使って前置混合行列１１３において得られる中間的な線形結合Z1の係数は、パラメータ（α1,β1,γ1,γ2）の集合P1のみによって制御される。すなわち、他のパラメータは前置混合行列１１３によって用いられる係数の制御に寄与しない。
【００８０】
上記の第一のシナリオでは、混合パラメータの集合P1は（α1,β1,γ1,γ2）であるが、行列EおよびFは混合パラメータ値γ1＝1およびγ2＝0を使うことで単純化されていた。
【００８１】
図１に描かれた構造の実装では、混合パラメータの集合P1の実際の値は、入力信号Xと一緒に、たとえばビットストリームにおいて入力信号Xと一緒にエンコードされて、デコード・システム１００によって受領されうる。混合パラメータの集合P1はたとえば、ステレオ・オーディオ信号に基づいて入力信号Xが生成されたことがありうるエンコード・システムにおいて決定されていてもよい。たとえば図７との関係で述べるエンコーダを参照。
【００８２】
混合パラメータの集合P1における諸パラメータは異なる役割を有することがあり、よって異なる量子化されたフォーマットで（たとえば異なる量子化スケールを使って）受領されることがある。上記のシナリオでは、パラメータα1およびβ1は、二つの出力信号チャネルの間での信号成分の分配を制御する。一方、パラメータγ1およびγ2は、出力信号Y1における入力信号Xの諸チャネルの相対的な寄与を制御する。よって、パラメータγ1およびγ2に比べ、α1およびβ1については異なる統計が期待されることがある。したがって、パラメータγ1およびγ2は、パラメータα1およびβ1とは異なる量子化されたフォーマットで受領されうる。一方、パラメータα1およびβ1は、いくつかの例示的実装では、同様の量子化されたフォーマットで受領されうる。
【００８３】
第二のシナリオでは、入力信号Xは、ステレオ・オーディオ信号の左（l）および右（r）チャネルがクロスオーバー周波数より下の周波数帯域については入力信号Xにおける和信号(l＋r)/2および差信号(l−r)/2として、クロスオーバー周波数より上の周波数帯域については空の（または0の／中立の）チャネルを入力信号Xにおいて伴う一チャネル・ダウンミックス信号として符号化されている、ステレオ・オーディオ信号の二チャネル表現である。この第二のシナリオでは、デコード・システム１００は、たとえば、現在のクロスオーバー周波数の指標を受領してもよく、このクロスオーバー周波数より上の周波数帯域については第一のシナリオと同じ行列、すなわち
【数５】
2016536646.tif 000007
を使ってもよい。クロスオーバー周波数より下の周波数帯域については、混合段１１０の、ある種の離散〔別個〕モードが使用されてもよい。これは、ステレオ・オーディオ信号を再構成するために行列
【数６】
2016536646.tif 000008
が使用されうるものである。クロスオーバー周波数より下の周波数帯域については脱相関は必要とされなくてもよいが、クロスオーバー周波数の下と上の両方の周波数帯域について同じ行列Eを用いることが便利でありうる。
【００８４】
行列EおよびFからそれぞれ行列A(n,k)およびB(n,)を得るための種々の時間補間方式について、ここで図２のａ〜ｄとの関係で述べる。下記の補間方式は行列EおよびFを制御する混合パラメータの値を用いて表現されることを注意しておく。類似の補間方式（たとえば線形補間）が、行列要素を制御するパラメータ値についてではなく、直接、行列要素について実行される例示的実施形態も考えられる。
【００８５】
図１に描かれる例示的実施形態のいくつかの実装では、パラメトリック混合段１１０は、第一の時間分解能をもつ入力信号Xを受領するよう適応されていてもよい。ここで、入力信号Xは一定数のサンプルを有する時間フレーム２１１〜２１３、２２１〜２２３、２３１〜２３３、２４１〜２４３（すなわち、各フレームは同数のサンプルを有する）に分割されている。図２のａに示されるように、パラメトリック混合段１１０は、いくつかの例示的実施形態では、時間フレーム２１２（または図２のｂでは２２２）の間に、混合パラメータの集合P1の各パラメータの一つの値２１４（または図２のｂでは２２４）を受領するよう動作可能であってもよい。図２のｃに示されるように、パラメトリック混合段１１０は、いくつかの例示的実施形態では、時間フレーム２３２（または図２のｄでは２４２）の間に、混合パラメータの集合P1の各パラメータの二つの値２３４、２３５（または図２のｄでは２４４、２４５）を受領するよう動作可能であってもよい。いくつかの実施形態では、パラメトリック混合段１１０は、たとえば二つの値２３４、２３５が利用可能であるか否かに依存して、あるいはパラメトリック混合段１１０によって受領される、適切なパラメータ・フォーマットを指示するある種の受領された信号に依存して、いくつかのフレーム２１２では一つの値を、いくつかのフレーム２３２では二つの値２３４、２３５を受領するよう動作可能であってもよい。明確のため、各パラメータ値は、それぞれが特定の周波数帯域に関連付けられている値のベクトルとして受領され／得られてもよいことを指摘しておく。
【００８６】
図１に描かれる例示的実施形態のいくつかの実装では、第一の時間分解能をもつ混合パラメータの集合P1（たとえば、時間フレーム当たりパラメータ値の一つまたは二つの集合）を受領し、該第一の時間分解能をもつ混合パラメータの集合P1から、第二の時間分解能をもつ一つまたは複数の混合パラメータの集合（たとえば、各時間フレームにおける各サンプルについて、値の一つの集合）を生成するために時間的な補間を用いるよう動作可能であってもよい。これは、なめらかな補間が用いられる図２のａおよびｃにおいて示されている。図２のａでは、混合パラメータP1の値２１４の一つの集合が時間フレーム２１２の終わりに受領され、（フレーム・インデックスの半端な値について、すなわち諸時間フレームにおける諸サンプルについて）これらの値２１４と直前のフレーム２１１からの対応する値２１５との間で線形補間が行なわれる。図２のｃでは、混合パラメータP1の値２３４、２３５の二つの集合が受領される。一つは時間フレーム２３２の中間で、一つは時間フレーム２３２の終わりにである。直前のフレーム２３１からの値２３６の最も遅い集合と、現在フレーム２３２における値３３４の最初に受領された集合との間で、次いで現在フレーム２３２の値の第一２３４および第二２３５の受領された集合の間で線形補間が行なわれる。
【００８７】
図２のｂおよびｄでは、図２のａおよびｃにおいて描かれたなめらかな補間への代替として、急峻な補間が示されている。図２のｂでは、値２２４の一つの集合がフレーム２２２内の位置２２５において受領される。値２２４のその新しい集合が受領される位置２２５までは直前のフレーム２２１の最も遅い値２２６が使われる。その位置２２５において、古い値２２６は破棄され、新しい値２２４が、値の新たな集合が受領されるまで使われる。図２のｄでは、値２４４、２４５の二つの集合がそれぞれ現在フレーム２２２内の位置２４６および２４７において受領される。値２４４の第一の新しい集合が受領される位置２４６までは直前のフレーム２４１の値２４８の最も遅い集合が使われる。その位置２４６において、古い値２４８は破棄され、新しい値２４４の第一の集合が、値２４５の第二の集合が受領される位置２４７まで使われる。
【００８８】
図３は、第二の例示的実施形態に基づく、オーディオ・デコード・システム３００の一般化されたブロック図である。デコード・システム３００は、図１に示したデコード・システム１００のパラメトリック混合段１１０と同じ型の第一のパラメトリック混合段１１０を有する。デコード・システム３００はさらに、第一の混合段１１０と機能的に同一である第二のパラメトリック混合段３２０を有する。第二のパラメトリック混合段３２０は、入力信号Xおよび混合パラメータP2の第二の集合を受領するよう適応されている。混合パラメータP2の値を、第二のパラメトリック混合段３２０は、第一のパラメトリック混合段１１０によって受領される混合パラメータP1の第一の集合とは独立に受領するよう構成されている。第一の混合段１１０と同様に、第二の混合段３２０は、入力信号Xおよび混合パラメータの第二の集合P2に基づいて第二の出力信号Y2を出力するよう適応されている。第二の混合段３２０は、入力信号Xに基づいて第二の脱相関された信号D2を出力するよう適応された第二の脱相関段３２１を有していてもよい。第二の混合段３２０はさらに、入力信号Xおよび第二の脱相関された信号D2を受領し、前記入力信号および前記第二の脱相関された信号D2からのチャネルの第二の二チャネル線形結合を形成し、該第二の線形結合を前記第二の二チャネル出力信号Y2として出力するよう適応された第二の混合行列３２２を有する。第二の線形結合の係数の少なくともいくつか（たとえば該係数の全部）は混合パラメータの第二の集合P2によって制御可能であり、第二の集合P2の少なくとも四つの混合パラメータが互いとの関係において独立に割り当て可能である。
【００８９】
図３に示される第一および第二のパラメトリック混合段１１０、３２０は、機能的に等価である。第一および第二のパラメトリック混合段１１０、３２０は、第一および第二のパラメトリック混合段１１０、３２０によってそれぞれ受領されるパラメータの第一の集合P1およびパラメータの第二の集合P2の値によってのみ区別される。さらに、第一および第二のパラメトリック混合段１１０、３２０は並列に、互いと独立に動作する。
【００９０】
図３のデコード・システム３００は、それぞれ独自の二チャネル出力信号Y1およびY2を提供する二つの混合段１１０および３２０を有するので、デコード・システム３００は、二チャネル入力信号Xおよびパラメータ集合P1およびP2に基づいて合計四つのチャネルを出力しうる。第一の混合段１１０における状況と同様に、第二の脱相関された信号D2および第二の出力信号Y2は次のように表わせる。
【００９１】
【数７】
2016536646.tif 000009
ここで、行列EおよびFから行列A(n,k)およびB(n,k)を得るための時間補間方式は、図２のａ〜ｄとの関係で述べたものと同様でありうる。種々の行列A(n,k)、B(n,k)、EおよびFは典型的にはそれぞれ第一および第二の混合段１１０および３２０において使用されうるが、それぞれの行列は同様の構造および／またはパラメータ化を有していてもよいことを注意しておく。
【００９２】
図３に描かれる構造についてのある例示的なシナリオにおいて、少なくとも左チャネルl、左サラウンド・チャネルls、右チャネルrおよび右サラウンド・チャネルrsを有するマルチチャネル・オーディオ信号がデコード・システム３００によって再構成される。デコード・システム３００は、マルチチャネル・オーディオ信号のダウンミックスされた表現である二チャネル入力信号Xを受領する。第一の混合段１１０は、混合パラメータ（α1,β1,γ1,γ2）の第一の集合P1を受領し、入力信号Xから左lおよび左サラウンド・チャネルlsを再構成するために、次の行列において記載される係数を使う。
【００９３】
【数８】
2016536646.tif 000010
同様に、第二の混合段３２０は、混合パラメータ（α2,β2,γ3,γ4）の第二の集合P2を受領し、入力信号Xから右rおよび右サラウンド・チャネルrsを再構成するために、次の行列において記載される係数を使う。
【００９４】
【数９】
2016536646.tif 000011
このようにして、デコード・システム３００は、混合パラメータの二つの集合P1、P2を使って、二チャネル入力信号からマルチチャネル・オーディオ信号の四つのチャネル（l,ls,r,rs）を再構成しうる。
【００９５】
混合パラメータの集合P1、P2の実際の値は、入力信号Xと一緒に、たとえばビットストリームにおいて入力信号と一緒にエンコードされて、デコード・システム３００によって受領されうる。混合パラメータのこれらの集合はたとえば、四つのチャネル（c,l,ls,r,rs）を含むマルチチャネル・オーディオ信号に基づいて前記入力信号が生成されたことがありうるエンコード・システムにおいて決定されていてもよい。たとえば図７を参照したエンコード・システムの記述を参照。
【００９６】
混合パラメータの第一の集合P1における諸パラメータは異なる役割を有することがあり、よって異なる量子化されたフォーマットで（たとえば異なる量子化スケールを使って）受領されることがある。上記のシナリオでは、パラメータβ1は、第一の脱相関された信号D1の左チャネルlおよび左サラウンド・チャネルlsへの寄与を制御し、典型的には0から1までの間の値を取りうる。パラメータα1はパン、すなわち左チャネルlと左サラウンド・チャネルlsの間のバランスを制御し、たとえば0を中心とする値を取りうる。出力チャネルl,lsにおける入力信号Xのチャネル間でのバランスを制御するパラメータγ1およびγ2については、α1およびβ1についてとは異なる統計が期待されることがある。したがって、パラメータγ1およびγ2は、パラメータα1およびβ1とは異なる量子化されたフォーマットで受領されうる。一方、パラメータα1およびβ1は、いくつかの例示的実装では、同様の量子化されたフォーマットで受領されうる。同様に、混合パラメータの第二の集合P2について、パラメータγ3およびγ4は、パラメータα2およびβ2とは異なる量子化されたフォーマットで受領されうる。一方、パラメータα2およびβ2は、いくつかの例示的実装では、同様の量子化されたフォーマットで受領されうる。
【００９７】
混合パラメータの第一の集合P1におけるパラメータの種々の役割について以下でも述べる。二つの独立に割り当て可能なパラメータγ1,γ2は、二つの入力信号Xチャネルの、中間的な線形結合Z1（図１参照）への相対的な寄与を制御する。中間的な線形結合Z1は第一の脱相関段１１１の前置混合行列１１３において形成され、第一の脱相関された信号D1を形成するよう脱相関される。これら二つのパラメータγ1,γ2は、第一の量子化されたフォーマットにおいて第一の混合段１１０によって受領されうる。二つの独立に割り当て可能なパラメータα1,β1は、中間的な線形結合Z1および第一の脱相関された信号D1の、第一の出力信号Y1への相対的な寄与を制御する。パラメータα1およびβ1については、γ1およびγ2についてとは異なる統計が期待されうるので、二つのパラメータα1およびβ1はたとえば、前記第一の量子化されたフォーマットとは相異なる第二の量子化されたフォーマットにおいて受領されてもよい。
【００９８】
図４は、第三の例示的実施形態に基づく、オーディオ・デコード・システム４００の一般化されたブロック図である。デコード・システム４００は、図３に示したデコード・システム３００と同様であり、すなわち第一および第二のパラメトリック混合段１１０、３２０を有する。だが今の例示的実施形態では、第一の混合行列１１２は、第一のクロスオーバー周波数までの周波数に対応するスペクトル・データを含む第一のサイド信号xs1を受領するよう適応されており、第二の混合行列３２２は、第二のクロスオーバー周波数（第一のクロスオーバー周波数に等しいまたは第一のクロスオーバー周波数と相異なる）までの周波数に対応するスペクトル・データを含む第二のサイド信号xs2を受領するよう適応されている。今の例示的実施形態では、サイド信号xs1,xs2は、第一および第二の出力信号Y1、Y2として出力されるべき二チャネル線形結合を形成するときに、それぞれ第一および第二の混合行列１１２、３２２によって使用される。これについて下記で例示的なシナリオにおいて述べる。
【００９９】
ある例示的なシナリオでは、中央チャネルc、左チャネルl、左サラウンド・チャネルls、右チャネルrおよび右サラウンド・チャネルrsを有する五チャネル・オーディオ信号がデコード・システム４００によって再構成されるべきである。デコード・システム４００は、第一のクロスオーバー周波数までの周波数に対応して、左lおよび左サラウンドlsチャネルを表わす左ダウンミックス信号xlと、左lおよび左サラウンドlsチャネルのスペクトル・データを含む第一のサイド信号xs1とを受領する。より正確には、第一のクロスオーバー周波数より下の周波数については、左lおよび左サラウンドlsチャネルは、左ダウンミックス信号xlおよび第一のサイド信号xs1において、それぞれ和信号(l＋ls)/2および差信号(l−ls)/2として符号化されている。第一のクロスオーバー周波数より上の周波数帯域については、左lおよび左サラウンドlsチャネルは、左ダウンミックス信号xl（および混合パラメータ）のみによって表わされる。
【０１００】
同様に、デコード・システム４００は、第二のクロスオーバー周波数までの周波数に対応して、右rおよび右サラウンドrsチャネルを表わす右ダウンミックス信号xrと、右rおよび右サラウンドrsチャネルのスペクトル・データを含む第二のサイド信号xs2とを受領する。より正確には、第二のクロスオーバー周波数より下の周波数については、右rおよび右サラウンドrsチャネルは、右ダウンミックス信号xrおよび第二のサイド信号xs2において、それぞれ和信号(r＋rs)/2および差信号(r−rs)/2として符号化されている。第二のクロスオーバー周波数より上の周波数帯域については、右rおよび右サラウンドrsチャネルは、右ダウンミックス信号xr（および混合パラメータ）のみによって表わされる。
【０１０１】
今の例示的なシナリオでは、デコード・システム４００は、五チャネル・オーディオ信号の中央チャネルcをも受領し、たとえばそれを処理することなく他の出力信号（すなわち、第一および第二の出力信号Y1、Y2）と一緒に出力してもよい。
【０１０２】
第一の混合段１１０は、入力信号Xおよび第一のサイド信号xs1に基づいて左lおよび左サラウンドlsチャネルを再構成する。たとえば、二チャネル入力信号Xの左および右のダウンミックス信号xlおよびxrを直接受領してもよい。しかしながら、右ダウンミックス信号xrは左lおよび左サラウンドlsチャネルを再構成するためには必要なく、入力信号が第一の混合段１１０によって受領される前に前処理器４３０において空のまたは中立のチャネルによって置き換えられてもよい。必要ないデータを除去することによって、たとえば第一の脱相関段１１１において、無用な処理が回避されうる。
【０１０３】
同様に、第二の混合段３２０は、入力信号Xおよび第二のサイド信号xs2に基づいて右rおよび右サラウンドrsチャネルを再構成する。左ダウンミックス信号xlは右rおよび右サラウンドrsチャネルを再構成するためには必要ないので、左ダウンミックス信号xlは、入力信号が第二の混合段３２０によって受領される前に前処理器４４０において空のまたは中立のチャネルによって置き換えられてもよい。
【０１０４】
換言すれば、第一の混合段１１０が左ダウンミックス信号xlおよび第一のサイド信号xs1を受領し、一方、第二の混合段３２０が右ダウンミックス信号xrおよび第二のサイド信号xs2を受領するデコード・システム４００の例示的実施形態が考えられる。そのような例示的実施形態では、第一の混合段１１０の入力は、第二の混合段３２０の入力とは独立であり、左lおよび左サラウンドlsチャネルの第一の混合段１１０による再構成は、右rおよび右サラウンド・チャネルrsの第二の混合段３２０による再構成とは完全に独立であってもよい。
【０１０５】
図４に描かれる例示的実施形態では、第一の混合段１１０は、第一のクロスオーバー周波数の指示を受領してもよく、この第一のクロスオーバー周波数より上の周波数帯域については、左lおよび左サラウンドlsチャネルを第一の出力信号Y1として再構成するために、次の行列に記載される係数を用いてもよい。
【０１０６】
【数１０】
2016536646.tif 000012
これは、混合パラメータの第一の集合P1に対応する（α1,β1,γ1＝1,γ2＝0）。第一の脱相関された信号D1および第一の出力信号Y1が次のように表わせることを想起する。
【０１０７】
【数１１】
2016536646.tif 000013
ここで、行列A(n,k)およびB(n,k)は行列EおよびFの時間補間されたバージョンによって形成されうる。
【０１０８】
第一のクロスオーバー周波数より下の周波数帯域については、第一の混合段１１０のある種の離散モードが使用されてもよい。ここで、第一のサイド信号xs1も、第一の混合行列１１２によって、第一の出力信号Y1として出力されるべき二チャネル線形結合を形成するために使用される。これは、次のように表わせる。
【０１０９】
【数１２】
2016536646.tif 000014
ここで、線形結合に第一のサイド信号xs1を含めるために行列B(n,k)に追加的な行が加わっている。この離散モードでは、第一の混合段１１０は、左lおよび左サラウンドlsチャネルを第一の出力信号Y1として再構成するために、次の行列に記載される係数を用いてもよい。
【０１１０】
【数１３】
2016536646.tif 000015
ここで、線形結合に第一のサイド信号xs1を含めるために行列Fに追加的な列が加わっている。第一のクロスオーバー周波数より下の周波数帯域については脱相関は必要ないが、第一のクロスオーバー周波数の下と上の両方の周波数帯域について同じ行列Eを用いることが便利でありうる。
【０１１１】
第一の混合行列１１０と同様に、第二の混合行列３２０は、第二のクロスオーバー周波数の指示を受領してもよく、この第二のクロスオーバー周波数より上の周波数帯域については、右rおよび右サラウンドrsチャネルを第二の出力信号Y2として再構成するために、次の行列に記載される係数を用いてもよい。
【０１１２】
【数１４】
2016536646.tif 000016
これは、混合パラメータの第二の集合P2に対応する（α2,β2,γ3＝1,γ4＝0）。第二のクロスオーバー周波数より下の周波数帯域については、第二の混合段３２０のある種の離散モードが使用されてもよい。ここで、第二のサイド信号xs2も、第二の混合行列３２２によって、第二の出力信号Y2として出力されるべき二チャネル線形結合を形成するために使用される。これは、次のように表わせる。
【０１１３】
【数１５】
2016536646.tif 000017
ここで、線形結合に第二のサイド信号xs2を含めるために行列B(n,k)に追加的な行が加わっている。この離散モードでは、第二の混合段３２０は、右rおよび右サラウンドrsチャネルを第二の出力信号Y2として再構成するために、次の行列に記載される係数を用いてもよい。
【０１１４】
【数１６】
2016536646.tif 000018
ここで、線形結合に第一のサイド信号xs1を含めるために行列Fに追加的な列が加わっている。上記の行列Eは、右ダウンミックス信号xrが第二の混合行列３２２によって前記二つの入力チャネルの第一のチャネルとして受領される状況のために適応されている。たとえば、右ダウンミックス信号xrが第二の混合行列３２２によって前記二つの入力チャネルの第二のチャネルとして受領される状況については、行列Eの最初の二つの列は入れ替えられてもよい。
【０１１５】
上記のようにして、デコード・システム４００は、第一および第二のサイド信号xs1,xs2が付随する三チャネルのダウンミックスされた表現(xl,xr,c)から、五チャネルの信号（c,l,ls,r,rs）を再構成しうる。混合パラメータの集合P1およびP2の実際の値は、デコード・システム４００によって、入力信号X（およびサイド信号）と一緒に受領される、たとえばビットストリームにおいて入力信号X（およびサイド信号）と一緒にエンコードされているのでもよい。混合パラメータの第一P1および第二P2の集合はたとえば、五チャネル・オーディオ信号（c,l,ls,r,rs）に基づいて入力オーディオ信号が生成されたことがありうるエンコード・システムにおいて決定されていてもよい。たとえば図７を参照したエンコード・システムの記述を参照。
【０１１６】
図５は、第四の例示的実施形態に基づく、オーディオ・デコード・システム４００の一般化されたブロック図である。デコード・システム５００は、図３のデコード・システム３００と同様に、第一のパラメトリック混合段１１０および第二のパラメトリック混合段３２０を有するが、図５のデコード・システム５００はさらに、第三のパラメトリック混合段５３０を有する。第三のパラメトリック混合段５３０は、二チャネル入力信号Xを受領し、混合パラメータの第一P1および第二P2の集合と独立な混合パラメータの第三の集合P3を受領するよう適応されている。
【０１１７】
図５に描かれる例示的実施形態の第一の例示的実装では、第三のパラメトリック混合段５３０は、第三の出力信号Y3を出力するよう適応されており、ここで、高々一つのチャネルが、第三の出力信号Y3の他のどのチャネル（単数または複数）のオーディオ・コンテンツとも独立なオーディオ・コンテンツを含む。たとえば、第三の出力信号Y3は、第一および第二の混合段１１０および３２０の第一および第二の出力信号Y1およびY2と同様の二チャネル信号であるが、それらのチャネルのうちの一つは空（または0／中立）である。他の例示的実施形態では、第三の出力信号Y3はちょうど一つのチャネルを有していてもよい。
【０１１８】
図５に描かれる例示的実施形態の第二の例示的実装では、デコード・システム５００は、混合パラメータのコレクションPを受領するよう適応されたコントローラ５４０を有していてもよい。コントローラ５４０は、該パラメータのコレクションPの部分集合である混合パラメータの前記第一、第二および第三の集合P1,P2,P3を、それぞれ第一、第二および第三のパラメトリック混合段１１０、３２０、５３０に供給するよう適応されていてもよい。コントローラ５４０はさらに、第三の出力信号Y3における独立なオーディオ・コンテンツをもつ高々一つのチャネルを提供するために、混合パラメータの第三の集合P3を介して、第三のパラメトリック混合段５３０を制御するよう適応されていてもよい。コントローラ５４０はたとえば、ビットストリーム（図示せず）から混合パラメータの第一P1、第二P2および第三P3の集合を抽出し、混合パラメータの第一P1、第二P2および第三P3の集合をそれぞれ第一１１０、第二３２０および第三５３０の混合段に供給するデマルチプレクサであってもよい。（空の／中立なチャネルが付随する）単一チャネルの再構成のためのパラメータを供給することによって、デマルチプレクサ（またはコントローラ５４０）は、第三の出力信号Y3において独立なオーディオ・コンテンツをもつ高々一つのチャネルを提供するような仕方で、第三のパラメトリック混合段５３０を制御してもよい。いくつかの例示的実装では、デマルチプレクサ（図示せず）は、そこから入力信号Xおよび混合パラメータの集合P1,P2,P3を抽出するビットストリーム（図示せず）を受領してもよい。デマルチプレクサは、入力信号Xおよび混合パラメータの集合P1,P2,P3を適切な混合段１１０、３２０、５３０に供給してもよい。（可能性としては空の／中立なチャネルが付随する）単一チャネルの再構成のためのパラメータを供給することによって、デマルチプレクサ（またはコントローラ５４０）は、第三の出力信号Y3において独立なオーディオ・コンテンツをもつ高々一つのチャネルを提供するよう第三のパラメトリック混合段５３０を制御してもよい。単一のチャネルの再構成のためのパラメータは、たとえば、第三の混合段５３０において実行されて第三の出力信号Y3として出力されるべき線形結合の係数を0にするような値を取る。
【０１１９】
図５に描かれるデコード・システム５００では、第三のパラメトリック混合段５３０は、入力信号Xを受領し、入力信号Xからのチャネルの第三の線形結合を形成するよう適応された第三の混合行列５３２を有する。第三のパラメトリック混合段５３０は、この第三の線形結合を第三の出力信号Y3として出力するよう適応されている。この第三の線形結合の係数の少なくともいくつか（たとえば該係数の全部）は混合パラメータの第三の集合P3によって制御可能であり、第三の集合P3の混合パラメータのうち少なくとも二つが、互いとの関係において独立に割り当て可能である。
【０１２０】
図５に描かれるデコード・システム５００のいくつかの実装では、第一および第二のパラメトリック混合段１１０および３２０と同様であってもよい。すなわち、入力信号Xに基づいて第三の脱相関された信号D3を出力する第三の脱相関段５３１を有していてもよく、第三の脱相関された信号D3は第三の混合行列５３２において形成される第三の線形結合において使用されうる。
【０１２１】
第一および第二の混合段１１０および３２０における状況と同様に、第三の脱相関された信号D3および第三の出力信号Y3は次のように表わせる。
【０１２２】
【数１７】
2016536646.tif 000019
ここで、行列EおよびFから行列A(n,k)およびB(n,k)を得る時間補間方式は図２のａ〜ｄとの関係で述べたものと同様でありうる。第一、第二および第三の混合段１１０、３２０および５３０についてそれぞれ典型的には異なる行列A(n,k)、B(n,k)、EおよびFが使用されうることを注意しておく。ただし、それぞれの行列の少なくともいくつかは同様の構造および／またはパラメータ表現を有していてもよい。
【０１２３】
図５に描かれる構造についてのある例示的なシナリオでは、中央チャネルc、左チャネルl、左サラウンド・チャネルls、右チャネルrおよび右サラウンド・チャネルrsを有する五チャネル・オーディオ信号がデコード・システム５００によって再構成されるべきである。デコード・システム５００は、五チャネル・オーディオ信号のダウンミックスされた表現である二チャネル入力信号Xを受領する。第一の混合段１１０は、混合パラメータの第一の集合P1（α1,β1,γ1,γ2）を受領し、入力信号Xから左lおよび左サラウンドlsチャネルを再構成するために、次の行列に記載される係数を使う。
【０１２４】
【数１８】
2016536646.tif 000020
同様に、第二の混合段３２０は、混合パラメータの第二の集合P2（α2,β2,γ3,γ4）を受領し、入力信号Xから右rおよび右サラウンドrsチャネルを再構成するために、次の行列に記載される係数を使う。
【０１２５】
【数１９】
2016536646.tif 000021
第三の混合段５３０は、混合パラメータの第三の集合P3（α3＝1,β3＝0,γ5,γ6）を受領し、入力信号Xから中央チャネルcを再構成するために、次の行列に記載される係数を使う。
【０１２６】
【数２０】
2016536646.tif 000022
これらのパラメータ値（α3＝1,β3＝0,γ5,γ6）は第三の出力信号Y3の第二のチャネルを0にすることを注意しておく。図５に描かれるデコード・システム５００のある例示的実装では、これらのパラメータ値は、第三の出力信号Y3において独立なオーディオ・コンテンツをもつ高々一つのチャネルを提供するよう、パラメータの第三の集合P3を介して第三のパラメトリック混合段５３０を制御するコントローラ５４０によって提供されてもよい。
【０１２７】
上記の例示的なシナリオにおいて概説されるように、デコード・システム５００は、混合パラメータの三つの集合P1,P2,P3を使って二チャネル入力信号から五チャネル信号（c,l,ls,r,rs）を再構成してもよい。β3＝0なので、第三の脱相関された信号D3は、第三の出力信号Y3を形成するときには使われないことを注意しておく。よって、第三の脱相関段５３１は必要とされない。したがって、第三の脱相関段５３１は完全に省略されてもよく、あるいはγ5およびγ6の代わりに係数として0を用いてもよい。
【０１２８】
混合パラメータの集合P1,P2,P3の実際の値は、デコード・システム５００によって、入力信号Xと一緒に受領される、たとえばビットストリームにおいて入力信号Xと一緒にエンコードされているのでもよい。混合パラメータのそれらの集合はたとえば、五チャネル信号（c,l,ls,r,rs）に基づいて入力オーディオ信号が生成されたことがありうるエンコード・システムにおいて決定されていてもよい。たとえば図７を参照したエンコード・システムの記述を参照。
【０１２９】
図６は、第五の例示的実施形態に基づく、オーディオ・デコード・システム６００の一般化されたブロック図である。デコード・システム６００は、図５のデコード・システム５００と同様であるが、二チャネル入力信号Xと、混合パラメータの第一の集合P1からの少なくとも三つの混合パラメータ、混合パラメータの第二の集合P2からの少なくとも三つの混合パラメータおよび混合パラメータの第一、第二および第三の集合P1,P2,P3とは独立な少なくとも一つの追加的な混合パラメータを含む混合パラメータの拡張集合P4とを受領するよう適応された追加的なパラメトリック混合段６５０を有する。該追加的なパラメトリック混合段６５０は、少なくとも五つのチャネルを有する追加的な出力信号Y4を出力するよう適応されていてもよい。デコード・システム６００は、追加的出力信号Y4の諸チャネルをそれぞれ第一の出力信号Y1、第二の出力信号Y2および第三の出力信号Y3の諸チャネルに加えるよう適応された加算段６６０を有する。
【０１３０】
追加的なパラメトリック６５０段は、入力信号Xに基づいて追加的な脱相関された信号D4を出力するよう適応された追加的な脱相関段６５１を有していてもよい。追加的なパラメトリック段６５０はさらに、追加的な脱相関された信号D4および混合パラメータの拡張集合P4に基づいて前記追加的な出力信号Y4を生成するよう適応されたアップミックス行列６５２を有していてもよい。
【０１３１】
いくつかの実施形態では、追加的な脱相関段６５１の構造は、図１に描かれた第一の脱相関段１１１の構造と同様であってもよい。すなわち、入力信号Xおよびパラメータの拡張集合P4に基づいて追加的な中間的な線形混合z4を形成する追加的な前置混合行列６５３を有していてもよい。追加的な脱相関段６５１はさらに、追加的な中間的な線形結合z4に基づいて追加的な脱相関された信号D4を形成する追加的な脱相関器６５４を有していてもよい。
【０１３２】
先述した混合段１１０、３２０、５３０における状況と同様に、追加的な脱相関された信号D4および追加的な出力信号Y4は次のように表わせる。
【０１３３】
【数２１】
2016536646.tif 000023
ここで、行列EおよびFから行列A(n,k)およびB(n,k)を得る時間補間方式は図２のａ〜ｄとの関係で述べたものと同様でありうる。異なる混合段１１０、３２０、５３０および６５０についてそれぞれ典型的には異なる行列A(n,k)、B(n,k)、EおよびFが使用されうることを注意しておく。ただし、それぞれの行列の少なくともいくつかは同様の構造および／またはパラメータ表現を有していてもよい。
【０１３４】
図５を参照して述べたシナリオと同様の例示的なシナリオでは、第一１１０、第二３２０および第三５３０のパラメトリック混合段はそれぞれパラメータ（α1,β1,γ1,γ2）、（α2,β2,γ3,γ4）および（α3,β3,γ5,γ6）を使って第一Y1、第二Y2および第三Y3の出力信号を形成する。これらの出力信号のチャネルは、五チャネル・オーディオ信号（c,l,ls,r,rs）の印象を作り出すよう適応されている。しかしながら、今のシナリオでは、追加的なパラメトリック混合段６５０が、出力信号Y1、Y2およびY3への加法的な寄与Y4を形成するために使われる。これは、第一の出力信号Y1の二つのチャネル、第二の出力信号Y2の二つのチャネルおよび出力信号Y3の唯一のチャネルにそれぞれ加えられるものである。このようにして、五つの修正された出力チャネルが作り出され、これが五チャネル・オーディオ信号（c,l,ls,r,rs）の印象を作り出すために使用されうる。
【０１３５】
今のシナリオでは、追加的なパラメトリック混合段６５０は、混合パラメータの拡張集合P4（α1,α2,γ1,γ2,γ3,γ4,δ）を受領し、追加的な脱相関された信号D4および追加的な出力信号Y4を形成するためにそれぞれ追加的な脱相関段６５１および追加的な混合行列６５２において次の行列に記載される係数を使う。
【０１３６】
【数２２】
2016536646.tif 000024
行列Eのこの選択を用いると、追加的な脱相関段６５１への入力は、第一および第二の脱相関段１１１、３２１への入力の和である。特に、入力における推定された中央チャネルから追加的な脱相関段６５１への寄与はない。これは、中央チャネルのサラウンド・チャネルへの潜在的な漏れを軽減しうる。混合パラメータ（α1,α2,γ1,γ2,γ3,γ4,δ）の実際の値は、デコード・システム６００によって、入力信号Xと一緒に受領される、たとえばビットストリームにおいて入力信号Xと一緒にエンコードされているのでもよい。混合パラメータのそれらの集合はたとえば、五チャネル・オーディオ信号（c,l,ls,r,rs）に基づいて入力オーディオ信号が生成されたことがありうるエンコード・システムにおいて決定されていてもよい。たとえば図７を参照して記述されるエンコード・システムを参照。
【０１３７】
パラメータの拡張集合P4が（α1,α2,γ1,γ2,γ3,γ4,γ5,γ6,δ）または（α1,α2,γ1,γ2,γ3,γ4,γ5,γ6,t,δ）でありうる追加的なシナリオが考えられることを注意しておく。δパラメータのより制約された範囲に到達するために、上記の行列Eは、パラメータtを0から2までの範囲であるとして、
E＝(γ1＋γ3＋tγ5,γ2＋γ4＋tγ6)
の形の行列Eによって置換されてもよい。あるいはまた、E＝(1,1)またはE=(1,−1)のような固定した行列が使用されることができる。
【０１３８】
図１、図３、図４、図５、図６に示したもの以外のデコード・システムの他の実施形態も考えられることを注意しておく。特に、たとえば混合パラメータの異なる集合を使って二チャネル入力信号から六チャネル信号または七チャネル信号を再構成するために、他の例示的デコード・システムにおいて、これらの図に示した型のパラメトリック混合段の任意の組み合わせが形成され、使用されてもよい。
【０１３９】
図７は、ある例示的実施形態に基づくオーディオ・エンコード・システム７００の一般化されたブロック図である。オーディオ・エンコード・システム７００は、マルチチャネル入力信号Sを受領し、それに基づいて二チャネル出力信号Yを出力するよう適応された混合段７１０を有する。本オーディオ・エンコード・システム７００はさらに、マルチチャネル入力信号Sおよび二チャネル出力信号Yを受領するよう適応されたパラメータ解析器７２０を有する。パラメータ解析器７２０は、二チャネル出力信号Yと、マルチチャネル入力信号Sのうちの二つのチャネルとに基づいて、二チャネル出力信号Yからマルチチャネル入力信号Sの前記二つのチャネルを再構成するための第一のパラメトリック混合段を制御するための混合パラメータの第一の集合P1を出力するよう適応された第一のパラメータ解析段７２１を有する。
【０１４０】
パラメータ解析器７２０はさらに、二チャネル出力信号Yと、マルチチャネル入力信号Sの二つのチャネル（第一のパラメータ解析段７２１によって受領された前記二つのチャネルとは相異なるもの）とに基づいて、二チャネル出力信号Yからマルチチャネル入力信号Sのこれら二つのチャネルを再構成するための第二のパラメトリック混合段を制御するための混合パラメータの第二の集合P2を出力するよう適応された第二のパラメータ解析段７２２を有していてもよい。その際、第二のパラメータ解析段７２２は、第一のパラメータ解析段７２１とは独立して動作するよう構成されている。
【０１４１】
上記の第二のパラメータ解析段７２２の代わりにまたはそれに加えて、パラメータ解析段７２２は、二チャネル出力信号Yと、マルチチャネル入力信号Sの一つのチャネルとに基づいて、二チャネル出力信号Yからマルチチャネル入力信号Sの該一つのチャネルを再構成するための第三のパラメトリック混合段を制御するための混合パラメータの第三の集合P3を出力するよう適応された第三のパラメータ解析段７２３を有していてもよい。その際、第三のパラメータ解析段７２３は、第一のパラメータ解析段７２１（および第二のパラメトリック解析段７２２）とは独立して動作するよう構成されている。
【０１４２】
マルチチャネル入力信号Sにおいて利用可能なチャネルの数に依存して、二つのチャネルを受領するパラメータ解析段７２１、７２２および一つのチャネルを受領するパラメータ解析段７２３の任意の組み合わせが考えられてもよいことを注意しておく。たとえば、以下の組み合わせが考えられる：
・三チャネル入力信号S、二つのチャネルを受領するパラメータ解析段一つ、一つのチャネルを受領するパラメータ解析段一つ；
・四チャネル入力信号S、二つのチャネルを受領するパラメータ解析段二つ；
・五チャネル入力信号S、二つのチャネルを受領するパラメータ解析段二つ、一つのチャネルを受領するパラメータ解析段一つ；
・六チャネル入力信号S、二つのチャネルを受領するパラメータ解析段三つ；
・七チャネル入力信号、二つのチャネルを受領するパラメータ解析段三つ、一つのチャネルを受領するパラメータ解析段一つ。
【０１４３】
混合パラメータの各集合P1,P2,P3における混合パラメータの数は、混合パラメータのそれぞれの集合を使って再構成されるべき入力オーディオ信号Sからのチャネルの数の少なくとも二倍であってもよい。
【０１４４】
特に、混合パラメータのこれらの集合は、二チャネル出力信号Yに基づいてマルチチャネル入力信号Sを再構成するために、好ましくは並列に動作する、それぞれの独立なパラメトリック混合段において実行されるべき二チャネル線形結合を制御するために適応される。
【０１４５】
たとえば、混合パラメータPは、図１、図３、図４、図５および図６において描かれるデコード・システム１００、３００、４００、５００、６００におけるパラメトリック混合段１１０、３２０および５３０の二つ以上において使うために適応されてもよい。ここで、出力信号Yが入力信号Xの役割を演じる。ある例示的なシナリオでは、マルチチャネル・オーディオ信号Sは、中央チャネル、左チャネル・左サラウンド・チャネル、右チャネルおよび右サラウンド・チャネルを含む五チャネル信号であってもよい。今の例示的なシナリオでは、混合段７１０は、それら五つのチャネルを、図５に描かれたデコード・システム５００によって入力信号Xとして受領される二チャネル出力信号Yにダウンミックスしてもよい。パラメータ解析器７２０は、出力信号Yに基づいて五チャネル入力信号Sの再構成のための混合パラメータPを決定してもよい。混合パラメータPは、第一のパラメータ解析段７２１によって決定された混合パラメータの第一の集合P1（α1,β1,γ1,γ2）と、第二のパラメータ解析段７２２によって決定された混合パラメータの第二の集合P2（α2,β2,γ3,γ4）と、第三のパラメータ解析段７２３によって決定された混合パラメータの第三の集合P3（α3,β3,γ5,γ6）とを含んでいてもよい。これらの集合のパラメータは、それぞれ、図５に描かれるデコード・システム５００において第一、第二および第三のパラメトリック混合段１１０、３２０、５３０において使うために適応されている。図５との関係で記述されるように、パラメータの第一の集合P1は、左および左サラウンド・チャネルの再構成のために適応されていてもよく、パラメータの第二の集合P2は、右および右サラウンド・チャネルの再構成のために適応されていてもよく、パラメータの第三の集合P3は、中央チャネルの再構成のために適応されていてもよい。
【０１４６】
これらの集合のパラメータの値は、マルチチャネル・オーディオ信号Sのそれぞれのチャネルの再構成を可能にするために、それぞれのパラメータ解析段７２１、７２２、７２３によって決定されてもよい。パラメータ解析段７２１、７２２、７２３は互いに独立に動作するので、パラメータのそれぞれの集合の値を決定するために異なる技法／方法を用いてもよい。さらに、量子化フォーマット、周波数帯域分解能および更新頻度（すなわち、前記パラメータにどのくらい頻繁に新しい値が割り当てられることができるか）のようなパラメータの属性は、パラメータの異なる集合については異なっていてもよい。
【０１４７】
パラメータの集合は、対応するパラメータ解析段によって決定されてもよい。たとえば、第一のパラメータ解析段７２１は二チャネル出力信号Yと、入力オーディオ信号Sの左チャネルおよび左サラウンド・チャネルとを受領してもよい。
【０１４８】
二チャネル出力信号Yから、左および左サラウンド・チャネルの再構成のための混合パラメータの第一の集合の値を決定するために、第一のパラメータ解析段は、混合パラメータの第一の集合P1の異なる試験値を使って、出力信号Yからマルチチャネル・オーディオ信号Sの左および左サラウンド・チャネルを再構成しうる。次いで、どの値が最も忠実な再構成を可能にするかを見出すために、それらの試験再構成が評価される。たとえば、パラメータの第一の集合P1の好適な値を決定するために、再構成されたチャネルのエネルギー・レベル、波形および／または相互相関が、マルチチャネル・オーディオ信号Sのもとの左および左サラウンド・チャネルと比較されてもよい。
【０１４９】
いくつかの例示的実施形態では、パラメータ解析器７２０はさらに、マルチチャネル入力信号Sに基づいて、追加的な混合パラメータを出力するよう適応されていてもよい。このさらなるパラメータは、図６に描かれたデコード・システム６００の追加的な混合段６５０において使うために適応されていてもよい。このさらなるパラメータは、第一、第二および第三のパラメトリック混合段１１０、３２０、５３０の出力信号Y1、Y2、Y3のチャネルに対する追加的な脱相関された信号D4の寄与を制御するよう適応されてもよい。
【０１５０】
図６との関係で述べた例示的なシナリオでは、前記少なくとも一つの追加的なパラメータは、パラメータδによって例示される。五チャネル信号Sを再構成するためにデコード・システム６００によって使われるパラメータ（α1,β1,γ1,γ2）、（α2,β2,γ3,γ4）、（α3,β3,γ5,γ6）およびδの値は、たとえば、図７のエンコード・システム７００のパラメータ解析器７２０によって決定されたものであってもよい。
【０１５１】
パラメータの値は、たとえば以下の諸段階に従って決定されうる。パラメータ（α1,β1,γ1,γ2）、（α2,β2,γ3,γ4）、（α3,β3,γ5,γ6）の一時的な値が、いかなる型のエネルギー補償もなしに第一段階において決定されてもよく、パラメータδ（追加的な脱相関された信号D4からの寄与を制御する）の値が、もとの五チャネル信号Sにおける中央チャネルに比べて再構成された中央チャネルcにおける正しいエネルギーを復元するために決定されてもよい。第二段階では、パラメータβ1およびβ2（第二の脱相関された信号D1およびD2の寄与を制御する）の値が次式に従って調整されてもよい
【０１５２】
【数２３】
2016536646.tif 000025
ここで、Lは出力信号Yにおける左ダウンミックス・チャネル（l＋ls）におけるエネルギーであり、＾付きのLは推定された左ダウンミックス（γ1×xl＋γ2×xr）のエネルギーである。同様に、Rは出力信号Yにおける右ダウンミックス・チャネル（r＋rs）におけるエネルギーであり、＾付きのRは推定された右ダウンミックス（γ3×xl＋γ4×xr）のエネルギーである。
【０１５３】
〈等価物、拡張、代替その他〉
上記の記述を吟味すれば、当業者には本開示のさらなる実施形態が明白になるであろう。本稿および図面は実施形態および例を開示しているが、本開示はこれらの個別的な例に制約されるものではない。付属の請求項によって定義される本開示の範囲から外れることなく数多くの修正および変形をなすことができる。請求項に現われる参照符号があったとしても、その範囲を限定するものと理解されるものではない。
【０１５４】
さらに、図面、本開示および付属の請求項の吟味から、本開示を実施する当業者によって、開示される実施形態に対する変形が理解され、実施されることができる。請求項において、「有する／含む」の語は他の要素またはステップを排除するものではなく、単数形の表現は複数を排除するものではない。ある種の施策が互いに異なる従属請求項に記載されているというだけの事実がこれらの施策の組み合わせが有利に使用できないことを示すものではない。
【０１５５】
上記で開示されたシステムおよび方法は、ソフトウェア、ファームウェア、ハードウェアまたはそれらの組み合わせとして実装されうる。ハードウェア実装では、上記の記述で言及された機能ユニットの間でのタスクの分割は必ずしも物理的なユニットへの分割に対応しない。逆に、一つの物理的コンポーネントが複数の機能を有していてもよく、一つのタスクが協働するいくつかの物理的コンポーネントによって実行されてもよい。ある種のコンポーネントまたはすべてのコンポーネントは、デジタル信号プロセッサまたはマイクロプロセッサによって実行されるソフトウェアとして実装されてもよく、あるいはハードウェアとしてまたは特定用途向け集積回路として実装されてもよい。そのようなソフトウェアは、コンピュータ記憶媒体（または非一時的な媒体）および通信媒体（または一時的な媒体）を含みうるコンピュータ可読媒体上で頒布されてもよい。当業者にはよく知られているように、コンピュータ記憶媒体という用語は、コンピュータ可読命令、データ構造、プログラム・モジュールまたは他のデータのような情報の記憶のための任意の方法または技術において実装される揮発性および不揮発性、リムーバブルおよび非リムーバブル媒体を含む。コンピュータ記憶媒体は、これに限られないが、RAM、ROM、EEPROM、フラッシュメモリまたは他のメモリ技術、CD-ROM、デジタル多用途ディスク（DVD）または他の光ディスク記憶、磁気カセット、磁気テープ、磁気ディスク記憶または他の磁気記憶デバイスまたは、所望される情報を記憶するために使用されることができ、コンピュータによってアクセスされることができる他の任意の媒体を含む。さらに、通信媒体が典型的にはコンピュータ可読命令、データ構造、プログラム・モジュールまたは他のデータを、搬送波または他の転送機構のような変調されたデータ信号において具現し、任意の情報送達媒体を含むことは当業者にはよく知られている。
【図１】
2016536646.tif 000026
【図２ａ】
2016536646.tif 000027
【図２ｂ】
2016536646.tif 000028
【図２ｃ】
2016536646.tif 000029
【図２ｄ】
2016536646.tif 000030
【図３】
2016536646.tif 000031
【図４】
2016536646.tif 000032
【図５】
2016536646.tif 000033
【図６】
2016536646.tif 000034
【図７】
2016536646.tif 000035
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
二チャネル入力信号（X）を処理するためのオーディオ・デコード・システム（１００、３００、４００、５００、６００）であって、当該オーディオ・デコード・システムは、前記二チャネル入力信号を受領し、混合パラメータの第一の集合を受領するよう適応された第一のパラメトリック混合段（１１０）を有し、前記第一のパラメトリック混合段は、第一の二チャネル出力信号（Y1）を出力するよう適応されており、前記第一のパラメトリック混合段は、
前記入力信号に基づいて第一の脱相関された信号（D1）を出力するよう適応された第一の脱相関段（１１１）と；
前記入力信号および前記第一の脱相関された信号を受領し、前記入力信号および前記第一の脱相関された信号からのチャネルの第一の二チャネル線形結合を形成し、該線形結合を前記第一の二チャネル出力信号として出力するよう適応された第一の混合行列とを有しており、
前記第一の線形結合の係数は混合パラメータの前記第一の集合によって制御可能であり、混合パラメータの前記第一の集合の少なくとも四つの混合パラメータを含み、
当該オーディオ・デコード・システムは、前記二チャネル入力信号を受領し、混合パラメータの前記第一の集合とは独立な混合パラメータの第二の集合を受領するよう適応された第二のパラメトリック混合段（３２０）をさらに有しており、前記第二のパラメトリック混合段は、第二の二チャネル出力信号（Y2）を出力するよう適応されており、
前記第二のパラメトリック混合段は：
前記入力信号に基づいて第二の脱相関された信号（D2）を出力するよう適応された第二の脱相関段（３２１）と；
前記入力信号および前記第二の脱相関された信号を受領し、前記入力信号および前記第二の脱相関された信号からのチャネルの第二の二チャネル線形結合を形成し、該第二の線形結合を前記第二の二チャネル出力信号として出力するよう適応されており、
前記第二の線形結合の係数は混合パラメータの前記第二の集合によって制御可能であり、混合パラメータの前記第二の集合は四つの混合パラメータを含む、
オーディオ・デコード・システム。
【請求項２】
前記第一の脱相関段は、一チャネル信号として前記第一の脱相関された信号を出力するよう適応されている、請求項１記載のオーディオ・デコード・システム。
【請求項３】
前記第一の脱相関段は、前置混合行列および脱相関器を有しており、
前記前置混合行列（１１３）は、前記入力信号からのチャネルの中間的な線形結合（Z1）を形成するよう適応されており、前記中間的な線形結合の係数は混合パラメータの前記第一の集合のみによって制御可能であり、
前記脱相関器（１１４）は、前記中間的な線形結合を受領して、それに基づいて前記第一の脱相関された信号を出力するよう適応されている、
請求項１または２記載のオーディオ・デコード・システム。
【請求項４】
前記第一のパラメトリック混合段は、混合パラメータの前記第一の集合を、高々四つの混合パラメータが独立に割り当て可能である混合パラメータの集合の形で受け入れるよう構成されている、請求項１ないし３のうちいずれか一項記載のオーディオ・デコード・システム。
【請求項５】
前記脱相関器は、前記中間的な線形結合のチャネルを受領し、前記第一の脱相関された信号のチャネルを出力するよう適応された少なくとも一つの無限インパルス応答ラティス・フィルタを有する、請求項３または４記載のオーディオ・デコード・システム。
【請求項６】
前記脱相関器は、前記中間的な線形結合における音の終わりを検出し、それに応答して是正アクションを行なうよう構成されたアーチファクト減衰器を有する、請求項３ないし５のうちいずれか一項記載のオーディオ・デコード・システム。
【請求項７】
前記第一の混合行列は、第一のクロスオーバー周波数までの周波数に対応するスペクトル・データを含む第一のサイド信号（xs1）を受領するよう適応されており、前記第一の混合行列は、前記第一のサイド信号と、前記入力信号および前記第一の脱相関された信号からのチャネルとから前記第一の二チャネル線形結合を形成するよう動作可能であり、前記第二の混合行列は、第二のクロスオーバー周波数までの周波数に対応するスペクトル・データを含む第二のサイド信号（xs2）を受領するよう適応されており、前記第二の混合行列は、前記第二のサイド信号と、前記入力信号および前記第二の脱相関された信号からのチャネルとから前記第二の二チャネル線形結合を形成するよう動作可能である、請求項１ないし６のうちいずれか一項記載のオーディオ・デコード・システム。
【請求項８】
前記二チャネル入力信号を受領し、混合パラメータの前記第一および第二の集合と独立な混合パラメータの第三の集合を受領するよう適応された第三のパラメトリック混合段（５３０）をさらに有しており、前記第三のパラメトリック混合段は、第三の出力信号（Y3）を出力するよう適応されており、前記第三のパラメトリック混合段は、独立なオーディオ・コンテンツをもつ高々一つのチャネルを前記第三の出力信号において提供するよう適応されており、前記第三のパラメトリック混合段は：
前記入力信号を受領し、前記入力信号からのチャネルの第三の線形結合を形成し、該第三の線形結合を前記第三の出力信号として出力するよう適応された第三の混合行列（５３２）を有しており、
前記第三の線形結合の係数は混合パラメータの前記第三の集合によって制御可能であり、混合パラメータの前記第三の集合は少なくとも二つの混合パラメータを含む、
請求項１ないし６のうちいずれか一項記載のオーディオ・デコード・システム。
【請求項９】
前記二チャネル入力信号を受領し、混合パラメータの前記第一および第二の集合と独立な混合パラメータの第三の集合を受領するよう適応された第三のパラメトリック混合段（５３０）をさらに有しており、前記第三のパラメトリック混合段は、第三の出力信号（Y3）を出力するよう適応されており、前記第三のパラメトリック混合段は：
前記入力信号に基づいて第三の脱相関された信号（D3）を出力するよう適応された第三の脱相関段（５３１）と；
前記入力信号および前記第三の脱相関された信号を受領し、前記入力信号および前記第三の脱相関された信号からのチャネルの第三の二チャネル線形結合を形成し、該第三の線形結合を前記第三の二チャネル出力信号として出力するよう適応された第三の混合行列（５３２）を有しており、
前記第三の線形結合の係数は混合パラメータの前記第三の集合によって制御可能であり、混合パラメータの前記第三の集合は少なくとも四つの混合パラメータを含む、
請求項１ないし８のうちいずれか一項記載のオーディオ・デコード・システム。
【請求項１０】
当該オーディオ・デコード・システムは、混合パラメータのコレクションを受領するよう適応されたコントローラ（５４０）を有しており、前記コントローラは、パラメータの前記コレクションの部分集合である混合パラメータの前記第一、第二および第三の集合を、それぞれ前記第一、第二および第三のパラメトリック混合段に提供するよう適応されており、前記コントローラは、前記第三の出力信号における独立なオーディオ・コンテンツをもつ高々一つのチャネルを提供するために、混合パラメータの前記第三の集合を介して、前記第三の混合段を制御するよう適応されている、
請求項９記載のオーディオ・デコード・システム。
【請求項１１】
前記二チャネル入力信号と、混合パラメータの前記第一の集合からの少なくとも三つの混合パラメータ、混合パラメータの前記第二の集合からの少なくとも三つの混合パラメータおよび混合パラメータの前記第一、第二および第三の集合とは独立な少なくとも一つの追加的な混合パラメータを含む混合パラメータの拡張集合とを受領するよう適応された追加的なパラメトリック混合段（６５０）であって、該追加的なパラメトリック混合段は、少なくとも五つのチャネルを有する追加的な出力信号（Y4）を出力するよう適応されている、追加的なパラメトリック混合段と；
前記追加的な出力信号の諸チャネルを前記第一の出力信号、前記第二の出力信号および前記第三の出力信号の諸チャネルにそれぞれ加えるよう適応された加算段をさらに有しており、
前記追加的なパラメトリック段は：
前記入力信号に基づいて追加的な脱相関された信号（D4）を出力するよう適応された追加的な脱相関段（６５１）と；
前記追加的な脱相関された信号および混合パラメータの前記拡張集合に基づいて前記追加的な出力信号を生成するよう適応されたアップミックス行列（６５２）を有する、
請求項８ないし１０のうちいずれか一項記載のオーディオ・デコード・システム。
【請求項１２】
前記第一のパラメトリック混合段は：
複数の周波数サブバンドに関連付けられた混合パラメータの前記第一の集合の値を受領し；
対応する周波数サブバンドに関連付けられた混合パラメータの前記第一の集合の値を使って、前記入力信号および前記第一の脱相関された信号の周波数サブバンド表現に対して作用するよう適応されいる、
請求項１ないし１１のうちいずれか一項記載のオーディオ・デコード・システム。
【請求項１３】
前記第一のパラメトリック混合段は、非一様な周波数サブバンド分割を用いるよう適応されている、請求項１２記載のオーディオ・デコード・システム。
【請求項１４】
混合パラメータの前記第一の集合の少なくとも一つの混合パラメータは、前記第一の脱相関された信号の、前記第一の線形結合への寄与を制御する、請求項１ないし１３のうちいずれか一項記載のオーディオ・デコード・システム。
【請求項１５】
混合パラメータの前記第一の集合の二つの混合パラメータは、第一の量子化されたフォーマットにおいて前記第一のパラメトリック混合段によって受領され、前記二つの入力信号チャネルの、中間的な線形結合への相対的な寄与を制御し、
混合パラメータの前記第一の集合の二つの異なる混合パラメータは、前記第一の量子化されたフォーマットとは相異なる第二の量子化されたフォーマットにおいて前記第一のパラメトリック混合段によって受領され、前記中間的な線形結合および前記第一の脱相関された信号の、前記第一の出力信号への相対的な寄与を制御し、
前記第一の脱相関された信号は、前記中間的な線形結合の脱相関されたバージョンである、
請求項１ないし１４のうちいずれか一項記載のオーディオ・デコード・システム。
【請求項１６】
前記第一のパラメトリック混合段は、第一の時間分解能をもつ前記入力信号を受領するよう適応されており、ここで、前記入力信号は一定数のサンプルを有する時間フレームに分割され、前記第一のパラメトリック混合段は、ある時間フレーム（２１２、２１４）の間には、混合パラメータの前記第一の集合の各パラメータの一つの値（２１４、２２４）を受領するよう動作可能であり、ある時間フレーム（２３２、２４２）の間には、混合パラメータの前記第一の集合の各パラメータの二つの値（２３４、２３５、２４４、２４５）を受領するよう動作可能である、請求項１ないし１５のうちいずれか一項記載のオーディオ・デコード・システム。
【請求項１７】
前記第一のパラメトリック混合段は、前記第一の時間分解能をもつ混合パラメータの前記第一の集合を受領し、前記第一の時間分解能をもつ混合パラメータの前記第一の集合から、第二の時間分解能をもつ一つまたは複数の混合パラメータの集合を生成するよう時間的な補間を用いるよう動作可能である、請求項１６記載のオーディオ・デコード・システム。
【請求項１８】
前記第一および第二のパラメトリック混合段は機能的に同一である、請求項１ないし１７のうちいずれか一項記載のオーディオ・デコード・システム。
【請求項１９】
二チャネル入力信号を処理するためのオーディオ・デコード方法であって、当該オーディオ・デコード方法は：
前記二チャネル入力信号を受領する段階と；
少なくとも四つの混合パラメータを含む混合パラメータの第一の集合を受領する段階と；
前記入力信号に基づいて第一の脱相関された信号を生成する段階と；
前記入力信号および前記第一の脱相関された信号からのチャネルの第一の二チャネル線形結合を形成する段階と；
前記線形結合を二チャネル出力信号として出力する段階とを含み、
前記第一の線形結合の係数は混合パラメータの前記第一の集合によって制御可能であり、
当該方法はさらに：
少なくとも四つの混合パラメータを含む混合パラメータの第二の集合を受領する段階であって、混合パラメータの前記第二の集合は、混合パラメータの前記第一の集合とは独立である、段階と；
前記入力信号に基づいて第二の脱相関された信号を生成する段階と；
前記入力信号および前記第二の脱相関された信号からのチャネルの第二の二チャネル線形結合を形成する段階と；
前記第二の線形結合を前記第二の二チャネル出力信号として出力する段階とを含み、
前記第二の線形結合の係数は混合パラメータの前記第二の集合によって制御可能である、
方法。
【請求項２０】
マルチチャネル入力信号（S）を処理するためのオーディオ・エンコード・システム（７００）であって：
前記マルチチャネル入力信号を受領し、それに基づいて二チャネル出力信号（Y）を出力するよう適応された混合段（７１０）と；
前記マルチチャネル入力信号および前記二チャネル出力信号を受領するよう適応されたパラメータ解析器（７２０）とを有しており、前記パラメータ解析器は：
前記二チャネル出力信号と、前記マルチチャネル入力信号のうちの第一の対のチャネルとに基づいて、前記二チャネル出力信号から前記マルチチャネル入力信号の前記第一の対のチャネルを再構成するための第一のパラメトリック混合段を制御するための混合パラメータの第一の集合を出力するよう適応された第一のパラメータ解析段（７２１）と；
前記二チャネル出力信号と、前記マルチチャネル入力信号の第二の対のチャネルとに基づいて、前記二チャネル出力信号から前記マルチチャネル入力信号の前記第二の対のチャネルを再構成するための第二のパラメトリック混合段を制御するための混合パラメータの第二の集合を出力するよう適応された第二のパラメータ解析段（７２２、７２３）とを有しており、
前記第二のパラメトリック解析段は、前記第一のパラメトリック解析段とは独立して動作するよう構成されており、
混合パラメータの前記第一の集合は少なくとも四つの混合パラメータを含み、混合パラメータの前記第二の集合は少なくとも四つの混合パラメータを含む、
オーディオ・エンコード・システム。
【請求項２１】
前記パラメータ解析器はさらに、前記マルチチャネル入力信号に基づいて、前記第一および第二のパラメトリック混合段の出力チャネルに対する追加的な脱相関された信号の寄与を制御するための、追加的な混合パラメータを出力するよう適応されている、請求項２０記載のオーディオ・エンコード・システム。
【請求項２２】
マルチチャネル入力信号を処理するためのオーディオ・エンコード方法であって：
前記マルチチャネル入力信号を受領する段階と；
前記マルチチャネル入力信号に基づいて二チャネル出力信号を出力する段階と；
前記二チャネル出力信号を受領する段階と；
前記二チャネル出力信号と、前記マルチチャネル入力信号のうちの第一の対のチャネルとに基づいて、前記二チャネル出力信号から前記マルチチャネル入力信号の前記二つのチャネルを再構成するための第一のパラメトリック混合段を制御するための混合パラメータの第一の集合を決定する段階と；
前記二チャネル出力信号と、前記マルチチャネル入力信号の第二の対のチャネルとに基づいて、かつ混合パラメータの第一の集合を決定する前記段階とは独立に、前記二チャネル出力信号から前記マルチチャネル入力信号の前記第二の対のチャネルを再構成するための第二のパラメトリック混合段を制御するための混合パラメータの第二の集合を決定する段階と；
混合パラメータの前記第一および第二の集合を出力する段階とを含み、
混合パラメータの前記第一の集合は少なくとも四つの混合パラメータを含み、混合パラメータの前記第二の集合は少なくとも四つの混合パラメータを含む、
方法。
【請求項２３】
請求項１９または２２記載の方法を実行するための命令を有するコンピュータ可読媒体を有するコンピュータ・プログラム・プロダクト。
【国際調査報告】
2016536646.tif 000036
2016536646.tif 000037